(57)【要約】本明細書では、従来のツールを用いては難しいであろう臨床状況において挿管の成功という結果に向けて操作者を支援することができる改善された喉頭鏡が開示される。2019508143.tif 000003
2019508143.tif 000002
【特許請求の範囲】
【請求項１】
最上部、最下部、及び少なくとも１つの出口を含む、ハンドルと、
遠位先端部及び近位部分を有し、前記近位部分は前記ハンドルの前記最下部に接続されている、ブレードと、
前記ハンドル及び前記ブレードの断面の少なくとも一部を通って延びるように構成された少なくとも１つの流体チャネルと、
前記ブレードの前記近位部分と前記遠位先端部との間に位置し、患者に挿管されたときに未加工データを検出するようにさらに構成された少なくとも１つのセンサと、
電子部品モジュールと
を含む喉頭鏡であって、
前記ブレードは、前記ハンドルから前記遠位先端部まで実質的に垂直な角度で外向きに突出するように構成され、
前記ブレードは、
（ａ）前記遠位先端部付近の少なくとも１つの入口と、
（ｂ）前記遠位先端部と近位先端部との間の少なくとも１つの入口と
をさらに含み、
前記ハンドルは、前記電子部品モジュールに結合されるようにサイズ決め及び成形され、
前記電子部品モジュールは、ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、ＵＳＢビデオデバイスクラス（ＵＶＣ）、光を生成してその周囲によって反射された光の周波数を測定すること、またはそれらの任意の組み合わせのうちの少なくとも１つの機能を提供する集積回路を含み、
前記少なくとも１つの出口、前記遠位先端部付近の前記少なくとも１つの入口、前記遠位先端部と前記近位先端部との間の前記少なくとも１つの入口、及び前記少なくとも１つの流体チャネルは、互いに流体連絡するように構成されている、前記喉頭鏡。
【請求項２】
前記未加工データは、ビデオファイル、ｐＨレベル、ＣＯ２レベル、温度、特定分子、気管の音、食道のより低いｐＨ、声帯のＵＶ反射率、またはそれらの任意の組み合わせのうちの少なくとも１つを含む、請求項１に記載の喉頭鏡。
【請求項３】
前記ハンドル内に位置し、前記少なくとも１つの入口と、前記少なくとも１つの出口と、少なくとも１つの吸引チャネルとの間の流体連絡を制御するように構成された少なくとも１つのバルブをさらに含む、請求項１に記載の喉頭鏡。
【請求項４】
前記電子部品モジュールから前記少なくとも１つのセンサまで延びるように構成された、前記ハンドル及び前記ブレード内のセンサキャビティをさらに含む、請求項１に記載の喉頭鏡。
【請求項５】
データを前記少なくとも１つのセンサから前記電子部品モジュールに送信するために前記電子部品モジュールを前記少なくとも１つのセンサに接続するように構成されたフレキシブルセンサチューブをさらに含む、請求項３に記載の喉頭鏡。
【請求項６】
前記少なくとも１つのセンサによって検出される前記未加工データは、ｐＨ、ＣＯ２、音響、静電容量、インダクタンス、温度、特定分子、両眼画像、単眼画像、配列された画像、環境色、またはそれらの任意の組み合わせのうちの少なくとも１つを含む、請求項１に記載の喉頭鏡。
【請求項７】
前記電子部品モジュールは、
（ａ）センサチューブを通して前記電子部品モジュール及び前記少なくとも１つのセンサに電力を提供するバッテリと、
（ｂ）前記少なくとも１つのセンサから受信した前記未加工データを符号化して、符号化データをデータ処理ユニットへ送信する感覚データ符号器と、
（ｃ）符号化データを処理する前記データ処理ユニットと、
（ｄ）前記データ処理ユニットから処理データを受信して、前記処理データを外部ソースへ送信するように構成されたネットワーク無線機と
をさらに含む、請求項１に記載の喉頭鏡。
【請求項８】
前記外部ソースは、リモートデバイス、システムコンピュータ、サーバ、データベース、またはそれらの任意の組み合わせのうちの少なくとも１つを含む、請求項７に記載の喉頭鏡。
【請求項９】
前記ネットワーク無線機は、前記喉頭鏡の使用に関してユーザから命令を受信するように構成されている、請求項７に記載の喉頭鏡。
【請求項１０】
前記命令は、流体の収集を開始すること、流体の収集を停止すること、前記流体連絡を減速させること、データを送信すること、前記電子部品モジュール上の電源を入れること、前記電子部品モジュール上の電源を切ること、またはそれらの任意の組み合わせのうちの少なくとも１つを含む、請求項９に記載の喉頭鏡。
【請求項１１】
前記ハンドルは接点をさらに含む、請求項１に記載の喉頭鏡。
【請求項１２】
前記ブレードは、前記少なくとも１つの入口付近に誘導性検知モジュールをさらに含む、請求項１１に記載の喉頭鏡。
【請求項１３】
前記誘導性検知モジュールは、電気リード、誘導コイル、またはそれらの任意の組み合わせのうちの少なくとも１つを含む、請求項１２に記載の喉頭鏡。
【請求項１４】
前記接点及び前記誘導性検知モジュールは、前記電子部品モジュールが前記ハンドルに取り付けられたときに電気的連絡を確立するように構成されている、請求項１３に記載の喉頭鏡。
【請求項１５】
前記電子部品モジュールは、前記ハンドルから取り外し可能であるように構成されている、請求項１に記載の喉頭鏡。
【請求項１６】
前記遠位先端部と前記近位先端部との間の前記少なくとも１つの入口は、前記少なくとも１つのセンサに近接近して位置している、請求項１に記載の喉頭鏡。
【請求項１７】
前記遠位先端部と前記近位先端部との間の前記少なくとも１つの入口は、前記少なくとも１つのセンサをクリーニングするために空気を作用させるように構成されている、請求項１６に記載の喉頭鏡。
【請求項１８】
前記遠位先端部と前記近位先端部との間の前記少なくとも１つの入口は、前記少なくとも１つのセンサをクリーニングするために前記少なくとも１つの流体チャネルを介して前記喉頭鏡内を循環する流体を作用させるように構成されている、請求項１６に記載の喉頭鏡。
【請求項１９】
前記集積回路は少なくとも１つの一体化ワイヤレス通信無線機を収容している、請求項１に記載の喉頭鏡。
【請求項２０】
前記少なくとも１つの一体化ワイヤレス通信無線機は、２．４ｇｈｚ  ｗｉｆｉ周波数接続、５．０ｇｈｚ  ｗｉｆｉ周波数接続、Ｂｌｕｅｔｏｏｔｈ（登録商標）接続、アナログデータ無線接続、３ｇモバイルデータネットワーク接続、４ｇモバイルデータネットワーク接続、４ｇＬＴＥモバイルデータネットワーク接続、及び５ｇモバイルデータネットワーク接続のうちの少なくとも１つの機能を提供するように構成されている、請求項１９に記載の喉頭鏡。
【請求項２１】
前記集積回路は、前記少なくとも１つのセンサの出力を増幅するためのオンボード回路、前記少なくとも１つのセンサの出力を調整するためのオンボード回路、前記少なくとも１つのセンサの出力を機械可読なフォーマットに変換するためのオンボード回路、前記少なくとも１つのセンサの出力を前記喉頭鏡とは別個のリモートデバイスに物理ワイヤを介して送信するためのオンボード回路、前記少なくとも１つのセンサの出力を前記喉頭鏡とは別個のリモートデバイスに前記少なくとも１つの一体化ワイヤレス通信無線機を介して送信するためのオンボード回路、前記センサの出力を前記喉頭鏡とは別個のリモートデバイスに通信ネットワークを介して送信するためのオンボード回路、またはそれらの任意の組み合わせのうちの少なくとも１つを含む、請求項１９に記載の喉頭鏡。
【請求項２２】
前記電子部品モジュールは、ハードウェアビデオ符号化、一般的なデータ処理、ファームウェアの記憶及び管理、データ暗号化、オーディオ符号化、可視スペクトル光及び不可視スペクトル光の分析、電流分析、画像深度処理、またはそれらの任意の組み合わせのうちの少なくとも１つの機能を提供するように構成された少なくとも１つのデータ処理ユニットを提供する、請求項２に記載の喉頭鏡。
【請求項２３】
前記データ処理ユニットのうちの少なくとも１つは、縮小命令セットコンピュータ（ＲＩＳＣ）、Ｍｉｃｒｏｐｒｏｃｅｓｓｏｒ  ｗｉｔｈｏｕｔ  Ｉｎｔｅｒｌｏｃｋｅｄ  Ｐｉｐｅｌｉｎｅ  Ｓｔａｇｅｓ（ＭＩＰＳ）、Ａｄｖａｎｃｅｄ  ＲＩＳＣ  Ｍａｃｈｉｎｅ（ＡＲＭ）、ＡＲＭ３２ビット（ＡＡｒｃｈ３２）、ＡＲＭ６４ビット（ＡＡｒｃｈ６４）、単一命令複数データ（ＳＩＭＤ）、単一命令複数スレッド（ＳＩＭＴ）、複数命令ストリーム複数データストリーム（ＭＩＭＤ）、ｘ８６、もしくはｘ８６  Ａｔｏｍ、またはそれらの任意の組み合わせのうちの少なくとも１つのアーキテクチャを利用する、請求項２２に記載の喉頭鏡。
【請求項２４】
前記少なくとも１つのデータ処理ユニットは、前記未加工データを、ＭＪＰＥＧ、Ｈ．２６４、ＨＥＶＣ、Ｈ．２６５、もしくはＭＰＥＧ−４、またはそれらの任意の組み合わせのうちの少なくとも１つのコーデック標準に符号化する、請求項２３に記載の喉頭鏡。
【請求項２５】
前記未加工データは一体化ハードウェア符号器を用いて符号化される、請求項２２に記載の喉頭鏡。
【請求項２６】
前記集積回路は、前記少なくとも１つのセンサの電力消費の必要性のためのオンボードバッテリを含む、請求項１に記載の喉頭鏡。
【請求項２７】
前記電子部品モジュールは、前記喉頭鏡とは別個のデバイスから電力を受け取るための別個の導体を含む、請求項１に記載の喉頭鏡。
【請求項２８】
ＬＥＤ、照明導体、またはそれらの任意の組み合わせのうちの少なくとも１つをさらに含む、請求項１に記載の喉頭鏡。
【請求項２９】
前記ＬＥＤは前記電子部品モジュールとは独立して機能する、請求項１に記載の喉頭鏡。
【請求項３０】
前記電子部品モジュールは、前記ＬＥＤ、前記照明導体、またはそれらの任意の組み合わせのうちの少なくとも１つから電流を引き込むように構成されている、請求項２８に記載の喉頭鏡。
【請求項３１】
前記電子部品モジュールは、前記喉頭鏡のハンドルに結合されるようにサイズ決め及び成形されるように構成されている、請求項１に記載の喉頭鏡。
【請求項３２】
前記電子部品モジュールは、前記ハンドルの前記最下部に結合されるようにサイズ決め及び成形されている、請求項１に記載の喉頭鏡。
【請求項３３】
前記電子部品モジュールは、前記ハンドル上に配置されたドアを介して前記喉頭鏡に結合されるように構成され、それによって内部のキャビティを露出させている、請求項１に記載の喉頭鏡。
【請求項３４】
前記ドアと前記ハンドルとの結合は、取り外し可能なドア、スライディングドア、機械的にヒンジで連結されたドア、またはリビングヒンジで連結された（ｌｉｖｅ  ｈｉｎｇｅｄ）ドアのうちの１つから選択される、請求項３３に記載の喉頭鏡。
【請求項３５】
前記ハンドルは、移動可能な進入面を前記ハンドルの外面上に含み、そのため、前記電子部品モジュールが前記進入面に対して付勢されたときに、前記ハンドル内に配置された相補的な嵌合メカニズムに前記電子部品モジュールが結合されるまで前記進入面及び電子部品モジュールが前記ハンドル内へと平行移動し、それによって前記電子部品モジュールが前記ハンドルに機械的に結合される、請求項１に記載の喉頭鏡。
【請求項３６】
前記ブレードはヒンジで連結され、それによって従来の喉頭鏡または高角度の喉頭鏡のいずれかとして構成され得る、請求項１に記載の喉頭鏡。
【請求項３７】
前記ヒンジ連結は、前記電子部品モジュールの存在によって調整される、請求項３６に記載の喉頭鏡。
【請求項３８】
前記ヒンジ連結は、前記電子部品モジュールの非存在によって調整される、請求項３６に記載の喉頭鏡。
【請求項３９】
前記ヒンジ連結は、前記少なくとも１つのセンサによって過剰な流体が検出されると調整される、請求項３６に記載の喉頭鏡。
【請求項４０】
前記ヒンジ連結は、前記少なくとも１つのセンサによって前記患者内の異常な解剖学的構造が検出されると調整される、請求項３６に記載の喉頭鏡。
【請求項４１】
前記特定分子検知機能は、Ｏ２、Ｎ２、ＣＯ２、ＨＣｌ、ＮａＣｌ、及びＫＣｌのうちの少なくとも１つを認識するように構成された前記少なくとも１つのセンサを用いて実現される、請求項１に記載の喉頭鏡。
【請求項４２】
前記少なくとも１つのセンサは、接触センサ、存在する周囲のガスを測定するためのセンサ、またはそれらの任意の組み合わせのうちの少なくとも１つを含む、請求項４１に記載の喉頭鏡。
【請求項４３】
前記遠位先端部と前記近位先端部との間の前記少なくとも１つの入口は、前記少なくとも１つのセンサが流体または組織によって覆われたときに前記少なくとも１つの出口に真空を適用することによって前記少なくとも１つのセンサを清掃するように方向付けられている、請求項１に記載の喉頭鏡。
【請求項４４】
前記電子部品モジュールは、前記少なくとも１つのセンサが検出した前記未加工データに基づいて前記患者内の少なくとも１つの解剖学的マーカーを特定する視覚フィードバックを生成することができる、請求項２に記載の喉頭鏡。
【請求項４５】
前記解剖学的マーカーは、臼歯、軟口蓋、口蓋舌弓、口蓋垂、口蓋扁桃、口蓋咽頭弓、中咽頭、喉頭蓋、食道、声門、楔状結節、小角結節（ｃｏｎｃｉｃｕｌａｔｅ  ｔｕｂｅｒｃｌｅ）、真声帯、仮声帯、開いた声帯、閉じた声帯、またはそれらの任意の組み合わせのうちの少なくとも１つを含む、請求項４４に記載の喉頭鏡。
【請求項４６】
前記電子部品モジュールは、前記少なくとも１つのセンサのうちの２つ以上からの未加工データを統合して、前記ブレードが前記患者内の所与の解剖学的マーカー内にあることの確実性を向上させることができる、請求項４４に記載の喉頭鏡。
【請求項４７】
前記視覚フィードバックを表示するための視覚ディスプレイである、照光ＬＥＤ、選択的照光ＬＥＤアレイ、無反射型ｅインク型ディスプレイ、または反射型ＬＣＤ型ディスプレイのうちの少なくとも１つをさらに含む、請求項４４に記載の喉頭鏡。
【請求項４８】
前記電子部品モジュールは、リモートデバイス、サーバ、データベース、システムコンピュータ、またはそれらの任意の組み合わせのうちの少なくとも１つに前記視覚フィードバックを送信するように構成されている、請求項４４に記載の喉頭鏡。
【請求項４９】
前記視覚フィードバックは、前記ブレードの前記先端部付近のカメラからのライブ画像上のオーバーレイとして提供される、請求項４８に記載の喉頭鏡。
【請求項５０】
前記視覚フィードバックは、解剖学的特徴及び前記患者内で前記ブレードがたどるべき進路のライブワイヤーフレーム型アウトラインを提供することによって提供される、請求項４９に記載の喉頭鏡。
【請求項５１】
前記視覚フィードバックは、ユーザが前記喉頭鏡を挿管が成功する進路に向けて前記患者内で導くことを助けるように、ユーザインターフェース内に表示される、請求項４４に記載の喉頭鏡。
【請求項５２】
電子センサモジュールは、前記集積回路を管理するためにＬｉｎｕｘ（登録商標）組込み開発環境（Ｌｉｎｕｘ（登録商標）  Ｅｍｂｅｄｄｅｄ  Ｄｅｖｅｌｏｐｍｅｎｔ  Ｅｎｖｉｒｏｎｍｅｎｔ（ＬＥＤＥ））を用いる、請求項１に記載の喉頭鏡。
【請求項５３】
測定し少なくとも１つの出力信号を送信する喉頭鏡と、
前記喉頭鏡から前記少なくとも１つの出力信号を受信して、前記少なくとも１つの出力信号をリアルタイムで表示するように構成されたコンピューティングデバイスと、
ユーザが前記少なくとも１つの出力信号をモニタするためのオプションを見てカスタマイズすることを可能にする、前記コンピューティングデバイス上のグラフィカルユーザインターフェースと
を含む、喉頭鏡の挿管のためのシステムであって、
前記喉頭鏡と前記コンピューティングデバイスとは通信ネットワークを介して互いに通信可能に接続されている、前記システム。
【請求項５４】
前記喉頭鏡は、
最上部、最下部、及び少なくとも１つの出口を含む、ハンドルと、
遠位先端部及び近位部分を有し、前記近位部分は前記ハンドルの前記最下部に接続されている、ブレードと、
前記ハンドル及び前記ブレードの断面の少なくとも一部を通って延びるように構成された少なくとも１つの吸引チャネルと、
前記ブレードの前記近位部分と前記遠位先端部との間に位置し、患者に挿管されたときに未加工データを検出するようにさらに構成された少なくとも１つのセンサと、
前記未加工データを前記少なくとも１つの出力に変換するように構成された電子部品モジュールと
を含み、
前記ブレードは、前記ハンドルから前記遠位先端部まで実質的に垂直な角度で外向きに突出するように構成され、
前記ブレードは、
（ａ）前記遠位先端部付近の少なくとも１つの入口と、
（ｂ）前記遠位先端部と近位先端部との間の少なくとも１つの入口と
をさらに含み、
前記ハンドルは、前記電子部品モジュールに結合されるようにサイズ決め及び成形され、
前記電子部品モジュールは集積回路を含み、
前記少なくとも１つの出口、前記遠位先端部付近の前記少なくとも１つの入口、前記遠位先端部と前記近位先端部との間の前記少なくとも１つの入口、及び少なくとも１つの流体チャネルは、互いに流体連絡するように構成されている、請求項５３に記載のシステム。
【請求項５５】
（ｉ）前記少なくとも１つの出力信号を記憶して分析するように構成され、かつ
（ｉｉ）前記通信ネットワークを介してローカルデバイス及び前記コンピューティングデバイスに接続される
ホスト型サーバをさらに含む、請求項５３に記載のシステム。
【請求項５６】
前記ホスト型サーバは、
（ｉ）患者内での前記喉頭鏡の現在の解剖学的位置を決定するように、
（ｉｉ）前記患者内の好ましい解剖学的位置までの経路を決定するように、かつ
（ｉｉｉ）ユーザが前記喉頭鏡を前記好ましい解剖学的位置まで導くことができるよう前記ユーザが従うべきデジタルガイダンスを提供するように
さらに構成されている、請求項５５に記載のシステム。
【請求項５７】
前記現在の解剖学的位置、前記好ましい解剖学的位置、前記好ましい解剖学的位置までの前記経路、及び前記デジタルガイダンスは、確率アルゴリズム、機械学習アルゴリズム、またはそれらの組み合わせのうちの少なくとも１つによって決定される、請求項５５に記載のシステム。
【請求項５８】
確率アルゴリズムまたは機械学習アルゴリズムは前記コンピューティングデバイス内に記憶されている、請求項５７に記載のシステム。
【請求項５９】
確率アルゴリズムまたは機械学習アルゴリズムは前記喉頭鏡内に記憶されている、請求項５７に記載のシステム。
【請求項６０】
前記集積回路は、ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、ＵＳＢビデオデバイスクラス（ＵＶＣ）、光を生成してその周囲によって反射された光の周波数を測定すること、またはそれらの任意の組み合わせのうちの少なくとも１つの機能を提供する、請求項５４に記載のシステム。
【請求項６１】
最上部、最下部、及び少なくとも１つの出口を含む、ハンドルと、
遠位先端部及び近位部分を有し、前記近位部分は前記ハンドルの前記最下部に接続されている、ブレードと、
前記ハンドル及び前記ブレードの断面の少なくとも一部を通って延びるように構成された少なくとも１つの流体チャネルと、
前記ブレードの前記近位部分と前記遠位先端部との間に位置し、患者に挿管されたときに未加工データを検出するようにさらに構成された少なくとも１つのセンサと、
電子部品モジュールと
を含む喉頭鏡であって、
前記ブレードは、前記ハンドルから前記遠位先端部まで実質的に垂直な角度で外向きに突出するように構成され、
前記ブレードは、
（ａ）前記遠位先端部付近の少なくとも１つの入口と、
（ｂ）前記遠位先端部と近位先端部との間の少なくとも１つの入口と
をさらに含み、
前記ハンドルは、前記電子部品モジュールに結合されるようにサイズ決め及び成形され、
前記電子部品モジュールは少なくとも１つの集積回路を含み、
前記少なくとも１つの出口、前記遠位先端部付近の前記少なくとも１つの入口、前記遠位先端部と前記近位先端部との間の前記少なくとも１つの入口、及び前記少なくとも１つの流体チャネルは、互いに流体連絡するように構成されている、前記喉頭鏡。
【請求項６２】
前記少なくとも１つの集積回路は、ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、ＵＳＢビデオデバイスクラス（ＵＶＣ）、光を生成してその周囲によって反射された光の周波数を測定すること、またはそれらの任意の組み合わせのうちの少なくとも１つの機能を提供する、請求項６１に記載の喉頭鏡。
【請求項６３】
コンピュータ可読命令を有するコンピュータ可読プログラムコードを有形に具現化するコンピュータ可読記憶媒体であって、前記コンピュータ可読命令は、実行されると、
喉頭鏡がユーザによって患者に挿管されたときに前記喉頭鏡上の少なくとも１つのセンサによって前記患者の少なくとも１つの解剖学的特徴を検出するステップと、
前記少なくとも１つの解剖学的特徴を電子部品モジュールに送信するステップと、
前記電子部品モジュールによって前記患者内での前記喉頭鏡の好ましい経路を決定するステップと、
前記好ましい経路を、グラフィックユーザインターフェース上に解剖学的オーバーレイとして表示されるようにリモートデバイスに送るステップと、
前記解剖学的オーバーレイにより前記喉頭鏡を前記患者内の前記好ましい経路に設けるステップと
をコンピュータに行わせる、前記コンピュータ可読記憶媒体。
【請求項６４】
前記少なくとも１つの解剖学的特徴は、ｐＨ、ＣＯ２、音響、静電容量、インダクタンス、温度、特定分子、両眼画像、単眼画像、配列された画像、環境色などのうちの少なくとも１つを含む、請求項６３に記載の方法。
【発明の詳細な説明】
【背景技術】
【０００１】
背景
救急医療の分野では、挿管のプロセスは、血液または粘液などの過剰な流体、ならびに負傷の結果または患者の体型である解剖学的特徴の存在によって邪魔されることが多い。そのために、本明細書では、従来のツールを用いては難しいであろう臨床状況において挿管の成功という結果に向けて操作者を支援することができる改善された喉頭鏡が開示される。
【発明の概要】
【０００２】
開示の概要
本開示のある実施形態によれば、別個のブレード部分とハンドル部分とを有する喉頭鏡が開示され、ブレード部分は少なくとも１つの入口を含み、ハンドル部分は少なくとも１つの出口を含み、少なくとも１つの内部通路が、少なくとも１つの入口と少なくとも１つの出口との流体連絡のためにブレード部分内に形成され、かつハンドルの断面の少なくとも一部を通って延びるようにさらに構成され、ハンドル部分は、取り外し可能な電子部品モジュールに任意で結合されるようにサイズ決め及び成形され、取り外し可能な電子部品モジュールは、ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、または光を生成して周囲によって反射された光の周波数を測定すること、のうちの少なくとも１つの機能を提供する。
【０００３】
本開示のある実施形態によれば、別個のブレード部分とハンドル部分とを有する喉頭鏡が開示され、ブレード部分は少なくとも１つの入口を含み、ハンドル部分は少なくとも１つの出口を含み、少なくとも１つの内部通路が、少なくとも１つの入口と少なくとも１つの出口との流体連絡のためにブレード部分内に形成され、かつハンドルの断面の少なくとも一部を通って延びるようにさらに構成され、ハンドル部分は、電子部品モジュールに任意で結合されるようにサイズ決め及び成形され、電子部品モジュールは、ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、または光を生成して周囲によって反射された光の周波数を測定すること、のうちの少なくとも１つの機能を提供する。
【０００４】
喉頭鏡はさらに、以下の気道の特徴の定常状態または状態変化を検出するように構成された少なくとも１つのセンサを含んでいてもよい：ｐＨ、ＣＯ２、音響フィードバック、流体及び／または組織の静電容量、流体及び／または組織のインダクタンス、周囲温度、特定分子（複数可）、両眼画像データ、単眼画像データ、配列された画像のデータ、または環境色、処理のために電子部品モジュールに送るべきセンサデータ。センサはまた、光を生成して光の周波数を測定してもよい。
【０００５】
本開示のさらなる実施形態によれば、電子部品モジュールは、少なくとも１つのセンサの出力を増幅するためのオンボード回路、少なくとも１つのセンサの出力を調整するためのオンボード回路、少なくとも１つのセンサの出力を機械可読なフォーマットに変換するためのオンボード回路、少なくとも１つのセンサの出力を喉頭鏡とは別個のリモートデバイスに物理ワイヤを介して送信するためのオンボード回路、少なくとも１つのセンサの出力を喉頭鏡とは別個のリモートデバイスに無線を介して送信するためのオンボード回路、少なくとも１つのセンサの出力を喉頭鏡とは別個のリモートデバイスにＢｌｕｅｔｏｏｔｈ（登録商標）を介して送信するためのオンボード回路、少なくとも１つのセンサの出力を喉頭鏡とは別個のリモートデバイスにＷＩＦＩを介して送信するためのオンボード回路のうちの少なくとも１つを含んでいてもよい。
【０００６】
本開示のさらなる実施形態によれば、電子部品モジュールは、２．４ｇｈｚ  Ｗｉ−Ｆｉ周波数接続、５．０ｇｈｚ  Ｗｉ−Ｆｉ周波数接続、Ｂｌｕｅｔｏｏｔｈ（登録商標）接続、アナログデータ無線接続、３ｇモバイルデータネットワーク接続、４ｇモバイルデータネットワーク接続、４ｇＬＴＥモバイルデータネットワーク接続、及び５ｇモバイルデータネットワーク接続のうちの少なくとも１つの機能を提供する少なくとも１つの一体化ワイヤレス通信無線機を含んでいてもよい。
【０００７】
本開示のさらなる実施形態によれば、電子部品モジュールは、ハードウェアビデオ符号化、一般的なデータ処理、ファームウェアの記憶及び管理、データ暗号化、オーディオ符号化、可視スペクトル光及び不可視スペクトル光の分析、電流分析、または画像深度処理のうちの少なくとも１つの機能を提供するように構成された少なくとも１つのデータ処理ユニットを含んでいてもよい。
【０００８】
本開示のさらなる実施形態によれば、データ処理ユニットは、縮小命令セットコンピュータ（ＲＩＳＣ）、Ｍｉｃｒｏｐｒｏｃｅｓｓｏｒ  ｗｉｔｈｏｕｔ  Ｉｎｔｅｒｌｏｃｋｅｄ  Ｐｉｐｅｌｉｎｅ  Ｓｔａｇｅｓ（ＭＩＰＳ）、Ａｄｖａｎｃｅｄ  ＲＩＳＣ  Ｍａｃｈｉｎｅ（ＡＲＭ）、ＡＲＭ３２ビット（ＡＡｒｃｈ３２）、ＡＲＭ６４ビット（ＡＡｒｃｈ６４）、単一命令複数データ（ＳＩＭＤ）、単一命令複数スレッド（ＳＩＭＴ）、複数命令ストリーム複数データストリーム（ＭＩＭＤ）、ｘ８６、またはｘ８６  Ａｔｏｍのうちの少なくとも１つのアーキテクチャを利用してもよい。
【０００９】
本開示のさらなる実施形態によれば、少なくとも１つのデータ処理ユニットは、ビデオデータを、ＭＪＰＥＧ、Ｈ．２６４、ＨＥＶＣ、Ｈ．２６５、ＭＰＥＧ−４、またはＭＪＰＥＧのうちの少なくとも１つのコーデック標準に符号化してもよい。
【００１０】
本開示のさらなる実施形態によれば、少なくとも１つのセンサからの未加工のビデオデータを、一体化ハードウェア符号器を用いて符号化してもよい。
【００１１】
本開示のさらなる実施形態によれば、電子部品モジュールは、そのセンサ（複数可）及び付随する部品の電力消費の必要性のためのオンボードバッテリを含んでいてもよい。
【００１２】
本開示のさらなる実施形態によれば、電子部品モジュールは、喉頭鏡とは別個のデバイスから電力を受け取るための別個の導体を含んでいてもよい。
【００１３】
本開示のさらなる実施形態によれば、電子部品モジュールを、喉頭鏡内に存在するＬＥＤまたは照明導体（複数可）から電流を引き込むように構成してもよく、喉頭鏡のＬＥＤまたは照明機能は電子部品モジュールの存在から独立している。
【００１４】
本開示のさらなる実施形態によれば、電子部品モジュールは、喉頭鏡のハンドルの頭部に結合されるようにサイズ決め及び成形されたボディを含んでいてもよい。
【００１５】
本開示のさらなる実施形態によれば、電子部品モジュールは、ハンドルの近位面に結合されるようにサイズ決め及び成形されていてもよい。
【００１６】
本開示のさらなる実施形態によれば、電子部品モジュールは、喉頭鏡の「ヒール」に結合されるようにサイズ決め及び成形されていてもよく、「ヒール」はハンドルとブレード部分との間の接合部付近の部分である。
【００１７】
本開示のさらなる実施形態によれば、電子部品モジュールは、喉頭鏡のハンドル上に配置されたドアを介して喉頭鏡に結合され、それによって内部のキャビティを露出させてもよい。
【００１８】
本開示のさらなる実施形態によれば、ドアとハンドルとの結合は、取り外し可能なドア、スライディングドア、機械的にヒンジで連結されたドア、またはリビングヒンジで連結された（ｌｉｖｅ  ｈｉｎｇｅｄ）ドアのうちの１つから選択してもよい。
【００１９】
本開示のさらなる実施形態によれば、喉頭鏡は、ハンドルの表面上に配置された移動可能な「進入」面を含んでいてもよく、そのため、電子部品モジュールが進入面に対して付勢されたときに、ハンドル内に配置された相補的な嵌合メカニズムに電子部品モジュールが結合されるまで進入面及び電子部品モジュールがハンドル内へと平行移動し、それによって電子部品モジュールがハンドルに機械的に結合されてもよい。
【００２０】
本開示のさらなる実施形態によれば、喉頭鏡は、その端部にセンサを有するチューブを含んでいてもよく、チューブは電子部品モジュールの尾側端部から延び、そのため、電子部品モジュールが喉頭鏡に結合されたときに、チューブは喉頭鏡内のキャビティとブレード部分の実質的な部分とを通って延び、それによってチューブの端部が、ブレード部分上に配置されたウィンドウまたは開口部のうちの一方の付近に方向付けられる。
【００２１】
本開示の別の実施形態では、検知機能は喉頭鏡内にすでに存在していて、電子部品モジュールの存在によって可能になってもよく、たとえばカメラまたはインダクタンスセンサがブレード部分内に組み込まれていて、電子部品モジュールの存在下でのみその情報を送信することができる場合などである。
【００２２】
本開示のさらなる実施形態によれば、喉頭鏡は、ブレード部分の先端部付近に任意の吸引入口を含んでいてもよく、吸引は、たとえば不要な流体の存在を示す静電容量、温度、または画像読み取りなどの少なくとも１つのセンサ入力のうちの１つの状態に応じて自動的に作動されるかまたは作動解除される。
【００２３】
本開示のさらなる実施形態によれば、ブレード部分はヒンジで連結され、それによって従来の喉頭鏡または高角度の喉頭鏡として構成されることができてもよい。
【００２４】
本開示のさらなる実施形態によれば、ヒンジ連結作用を電子部品モジュールの存在または非存在によって調整してもよい。
【００２５】
本開示のさらなる実施形態によれば、特定分子検知機能は、Ｏ２、Ｎ２、ＣＯ２、ＨＣｌ、ＮａＣｌ、及びＫＣｌのうちの少なくとも１つを認識するように構成された微小電気機械システム（ＭＥＭＳ）を用いて実現してもよい。
【００２６】
本開示のさらなる実施形態によれば、ＭＥＭＳを、接触センサまたは存在する周囲のガスを測定するためのセンサのうちの１つから選択してもよい。
【００２７】
本開示のある実施形態によれば、喉頭鏡は、別個のブレード部分とハンドル部分とを有する喉頭鏡を含み、流体チャネルがハンドルの断面の少なくとも一部を通って延び、ハンドル部分は、取り外し可能な電子部品モジュールに結合されるようにサイズ決め及び成形され、電子部品モジュールは以下の出力：ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、または光を生成して周囲によって反射された光の周波数を測定すること、のうちの少なくとも１つを収集して分析するように構成され、電子部品モジュールは、リモートデバイスに該出力を送るように構成され、リモートデバイスは、電子部品モジュールの出力から得られた二次情報を喉頭鏡の操作者に伝達する、音響フィードバック、触覚フィードバック、及び視覚フィードバックのうちの１つから選択されるユーザインターフェースを含んでいる。
【００２８】
本開示のさらなる実施形態によれば、視覚フィードバックは、少なくとも１つの選択的に照光するＬＥＤ、無反射型ｅインク型ディスプレイ、または反射型ＬＣＤ型ディスプレイのうちの１つによって提供されてもよい。
【００２９】
本開示のさらなる実施形態によれば、ＬＥＤまたはディスプレイをデバイスのボディ上に配置してもよい。
【００３０】
本開示のさらなる実施形態によれば、ＬＥＤまたはディスプレイを喉頭鏡とは別個のボディ内に配置してもよい。
【００３１】
本開示のさらなる実施形態によれば、喉頭鏡とは別個のボディは電子部品モジュールを含んでいてもよく、ＬＥＤ、ＬＥＤアレイ、またはディスプレイは、モジュールが喉頭鏡のボディに接続されるかまたは挿入されるまで喉頭鏡とは別個のままである。
【００３２】
本開示のさらなる実施形態によれば、二次情報は、解剖学的ランドマークに対する位置、相対位置の可能性、または所定のセンサ状態の存在のうちの少なくとも１つから選択されてもよい。
【００３３】
本開示のさらなる実施形態によれば、電子部品モジュールは、臼歯、軟口蓋、口蓋舌弓、口蓋垂、口蓋扁桃、口蓋咽頭弓、中咽頭、喉頭蓋、食道、声門、楔状結節、小角結節、真声帯、仮声帯、開いた声帯、または閉じた声帯のうちの少なくとも１つを含む解剖学的マーカーを、その外観に基づいて特定するように構成してもよい。
【００３４】
本開示のさらなる実施形態によれば、電子部品モジュールは、ブレード部分が所与の解剖学的位置にあることの確実性を向上させるために、たとえば気管の音、食道のより低いｐＨ、または声帯のＵＶ反射率を含む複数センサの読み取り値を統合するように構成してもよい。
【００３５】
本開示のさらなる実施形態によれば、特定分子検知機能は、Ｏ２、Ｎ２、ＣＯ２、ＨＣｌ、ＮａＣｌ、及びＫＣｌのうちの少なくとも１つを認識するように構成されたＭＥＭＳを用いて実現してもよい。
【００３６】
本開示のさらなる実施形態によれば、ＭＥＭＳを、接触センサまたは存在する周囲のガスを測定するためのセンサのうちの１つから選択してもよい。
【００３７】
本開示のさらなる実施形態によれば、視覚フィードバックは、ブレード部分の先端部付近のカメラからのライブ画像上のオーバーレイとして提供されてもよい。
【００３８】
本開示のさらなる実施形態によれば、視覚フィードバックは、関連性のある解剖学的特徴及び操作者がたどるべき進路のライブワイヤーフレーム型アウトラインを提供することによって提供されてもよい。
【００３９】
本開示のさらなる実施形態によれば、電子部品モジュールは、操作者が促したときに、または異なる場所もしくはセンサ状態を認識したときに自動的に、センサ状態から得られる場所に関するフィードバックを提供するように構成してもよい。
【００４０】
本開示のさらなる実施形態によれば、電子部品モジュールは、挿管が成功する進路に操作者を導くためにフィードバックを提供するように構成してもよい。
【００４１】
本開示のさらなる実施形態によれば、電子部品モジュールは、操作者がすでに取った以前のステップを検証するために前記フィードバックを提供するように構成してもよい。
【００４２】
本開示のさらなる実施形態によれば、電子部品モジュールは、手技の経過の記録を取るために少なくとも１つのセンサからの未加工データと位置に関する統合された想定との両方を記録するように構成してもよい。
【００４３】
本開示のさらなる実施形態によれば、記録は、たとえば取り付けられたネットワークまたはクラウドストレージサーバなどの、喉頭鏡とは別個だがそれと電子的に連絡しているデバイス上で行われる。
【００４４】
本開示のさらなる実施形態によれば、無線機は、起動時にデバイスの周りの半径５０ｆｔ内の最も低い利用周波数チャネルを見つける試験を実行して、少なくとも１つのセンサからデータをストリーミングするために最も低い利用周波数チャネルを選択するように構成してもよい。
【００４５】
本開示のさらなる実施形態によれば、無線機は、２．４ｇｈｚ周波数内のチャネル１、６、及び１１の利用試験を実行して、２．５％未満の利用差が見出された場合に、少なくとも１つのセンサからデータをストリーミングするために、利用される最も低いものを選択するかまたはデフォルトでチャネル１１にするように構成してもよい。
【００４６】
本開示のさらなる実施形態によれば、無線機は、５．０ｇｈｚ周波数内のすべてのチャネルの利用試験を実行して、２．５％未満の利用差が見出された場合に、少なくとも１つのセンサからデータをストリーミングするために、利用される最も低いものを選択するかまたはデフォルトで予め設定されたチャネルにするように構成してもよい。
【００４７】
本開示のさらなる実施形態によれば、ワイヤレス無線機は、２．４ｇｈｚ周波数内のすべてのチャネルの利用試験を実行して、２．５％未満の利用差が見出された場合に、少なくとも１つのセンサからデータをストリーミングするために、利用される最も低いものを選択するかまたはデフォルトでチャネル１１にする。
【００４８】
本開示のさらなる実施形態によれば、電子センサモジュールは、Ｌｉｎｕｘ（登録商標）組込み開発環境（Ｌｉｎｕｘ（登録商標）  Ｅｍｂｅｄｄｅｄ  Ｄｅｖｅｌｏｐｍｅｎｔ  Ｅｎｖｉｒｏｎｍｅｎｔ（ＬＥＤＥ））を用いてオンボード回路のうちの少なくとも１つを管理してもよい。
【００４９】
本開示のさらなる実施形態によれば、電子センサモジュールは、ストリーマまたはＲＴＰ上のＵＤＰのうちの少なくとも１つを用いてユーザインターフェースにビデオデータをストリームしてもよい。
【００５０】
本開示のさらなる実施形態によれば、ビデオデータストリームを、Ａｄｖａｎｃｅｄ  Ｅｎｃｒｙｐｔｉｏｎ  Ｓｔａｎｄａｒｄ（ＡＥＳ）１２８ビット、１９２ビット、または２５６ビットなどの対称暗号化プロトコルを介して暗号化してもよい。
【００５１】
本開示のさらなる実施形態によれば、ハンドルとブレード部分との交差部の近位面は、半径が２．１５ｉｎ以下かつ１．４０ｉｎ以上の曲線を形成してもよい。
【００５２】
本開示のさらなる実施形態によれば、ハンドルとブレード部分との交差部の遠位面は、半径が０．８５ｉｎ以下かつ０．２５ｉｎ以上の曲線を形成してもよい。
【００５３】
本開示のさらなる実施形態によれば、ハンドルの近位面は奥行きの変化が１０ｍｍ以下かつ２ｍｍ以上であることを特徴とする。
【００５４】
本開示のさらなる実施形態によれば、ハンドルの遠位面は奥行きの変化が１８ｍｍ以下かつ８ｍｍ以上であることを特徴とする。
【００５５】
本開示のさらなる実施形態によれば、ハンドルはバルブボタンを含んでいてもよく、バルブボタンは、ハンドルのベースから４．２０インチ以下かつ３．７５インチ以上に位置している。
【００５６】
本開示のさらなる実施形態によれば、ユーザインターフェースは、前向きのカメラまたは光センサを用いて高い周囲光状態を自動的に検出してスクリーンの明るさ、画像コントラスト、または画像彩色のうちの少なくとも１つを調整する、タブレットまたはスマートフォンアプリケーションである。
【００５７】
本開示のさらなる実施形態によれば、ユーザインターフェースは、各喉頭鏡のＳＳＩＤに対する固有のパスワードを生成するためのアルゴリズムを用いるタブレットまたはスマートフォンアプリケーションである。
【００５８】
本開示のさらなる実施形態によれば、少なくとも１つのデータプロセッサは、コンピュータビジョンアルゴリズムを用いてセンサデータストリームを分析して、ユーザに二次的なガイダンス情報を提供する。
【００５９】
本開示のさらなる実施形態によれば、少なくとも１つのデータプロセッサは、コンピュータビジョンアルゴリズムを用いてＭＪＰＥＧビデオストリームを分析して、他のビデオコーデックと比べて増加したキーフレーム数に起因してより多くの二次的なガイダンス情報をユーザに提供する。
【００６０】
選択された実施形態
実施形態１。最上部、最下部、及び少なくとも１つの出口を含む、ハンドルと、遠位先端部及び近位部分を有し、前記近位部分は前記ハンドルの前記最下部に接続されている、ブレードと、前記ハンドル及び前記ブレードの断面の少なくとも一部を通って延びるように構成された少なくとも１つの流体チャネルと、前記ブレードの前記近位部分と前記遠位先端部との間に位置し、患者に挿管されたときに未加工データを検出するようにさらに構成された少なくとも１つのセンサと、電子部品モジュールと、を含む喉頭鏡であって、前記ブレードは、前記ハンドルから前記遠位先端部まで実質的に垂直な角度で外向きに突出するように構成され、前記ブレードは、（ａ）前記遠位先端部付近の少なくとも１つの入口と、（ｂ）前記遠位先端部と近位先端部との間の少なくとも１つの入口と、をさらに含み、前記ハンドルは、前記電子部品モジュールに結合されるようにサイズ決め及び成形され、前記電子部品モジュールは、ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、ＵＳＢビデオデバイスクラス（ＵＶＣ）、光を生成してその周囲によって反射された光の周波数を測定すること、またはそれらの任意の組み合わせのうちの少なくとも１つの機能を提供する集積回路を含み、前記少なくとも１つの出口、前記遠位先端部付近の前記少なくとも１つの入口、前記遠位先端部と前記近位先端部との間の前記少なくとも１つの入口、及び前記少なくとも１つの流体チャネルは、互いに流体連絡するように構成されている、前記喉頭鏡。
【００６１】
実施形態２。前記未加工データは、ビデオファイル、ｐＨレベル、ＣＯ２レベル、温度、特定分子、気管の音、食道のより低いｐＨ、声帯のＵＶ反射率、またはそれらの任意の組み合わせのうちの少なくとも１つを含む、実施形態１の喉頭鏡。
【００６２】
実施形態３。前記ハンドル内に位置し、前記少なくとも１つの入口と、前記少なくとも１つの出口と、少なくとも１つの吸引チャネルとの間の流体連絡を制御するように構成された少なくとも１つのバルブをさらに含む、実施形態１の喉頭鏡。
【００６３】
実施形態４。前記電子部品モジュールから前記少なくとも１つのセンサまで延びるように構成された、前記ハンドル及び前記ブレード内のセンサキャビティをさらに含む、実施形態１の喉頭鏡。
【００６４】
実施形態５。データを前記少なくとも１つのセンサから前記電子部品モジュールに送信するために前記電子部品モジュールを前記少なくとも１つのセンサに接続するように構成されたフレキシブルセンサチューブをさらに含む、実施形態３の喉頭鏡。
【００６５】
実施形態６。前記少なくとも１つのセンサによって検出される前記未加工データは、ｐＨ、ＣＯ２、音響、静電容量、インダクタンス、温度、特定分子、両眼画像、単眼画像、配列された画像、環境色、またはそれらの任意の組み合わせのうちの少なくとも１つを含む、実施形態１の喉頭鏡。
【００６６】
実施形態７。前記電子部品モジュールは、（ａ）センサチューブを通して前記電子部品モジュール及び前記少なくとも１つのセンサに電力を提供するバッテリと、（ｂ）前記少なくとも１つのセンサから受信した前記未加工データを符号化して、符号化データをデータ処理ユニットへ送信する感覚データ符号器と、（ｃ）符号化データを処理する前記データ処理ユニットと、（ｄ）前記データ処理ユニットから処理データを受信して、前記処理データを外部ソースへ送信するように構成されたネットワーク無線機と、をさらに含む、実施形態１の喉頭鏡。
【００６７】
実施形態８。前記外部ソースは、リモートデバイス、システムコンピュータ、サーバ、データベース、またはそれらの任意の組み合わせのうちの少なくとも１つを含む、実施形態７の喉頭鏡。
【００６８】
実施形態９。前記ネットワーク無線機は、前記喉頭鏡の使用に関してユーザから命令を受信するように構成されている、実施形態７の喉頭鏡。
【００６９】
実施形態１０。前記命令は、流体の収集を開始すること、流体の収集を停止すること、前記流体連絡を減速させること、データを送信すること、前記電子部品モジュール上の電源を入れること、前記電子部品モジュール上の電源を切ること、またはそれらの任意の組み合わせのうちの少なくとも１つを含む、実施形態９の喉頭鏡。
【００７０】
実施形態１１。前記ハンドルは接点をさらに含む、実施形態１の喉頭鏡。
【００７１】
実施形態１２。前記ブレードは、前記少なくとも１つの入口付近に誘導性検知モジュールをさらに含む、実施形態１１の喉頭鏡。
【００７２】
実施形態１３。前記誘導性検知モジュールは、電気リード、誘導コイル、またはそれらの任意の組み合わせのうちの少なくとも１つを含む、実施形態１２の喉頭鏡。
【００７３】
実施形態１４。前記接点及び前記誘導性検知モジュールは、前記電子部品モジュールが前記ハンドルに取り付けられたときに電気的連絡を確立するように構成されている、実施形態１３の喉頭鏡。
【００７４】
実施形態１５。前記電子部品モジュールは、前記ハンドルから取り外し可能であるように構成されている、実施形態１の喉頭鏡。
【００７５】
実施形態１６。前記遠位先端部と前記近位先端部との間の前記少なくとも１つの入口は、前記少なくとも１つのセンサに近接近して位置している、実施形態１の喉頭鏡。
【００７６】
実施形態１７。前記遠位先端部と前記近位先端部との間の前記少なくとも１つの入口は、前記少なくとも１つのセンサをクリーニングするために空気を作用させるように構成されている、実施形態１６の喉頭鏡。
【００７７】
実施形態１８。前記遠位先端部と前記近位先端部との間の前記少なくとも１つの入口は、前記少なくとも１つのセンサをクリーニングするために前記少なくとも１つの流体チャネルを介して前記喉頭鏡内を循環する流体を作用させるように構成されている、実施形態１６の喉頭鏡。
【００７８】
実施形態１９。前記集積回路は少なくとも１つの一体化ワイヤレス通信無線機を収容している、実施形態１の喉頭鏡。
【００７９】
実施形態２０。前記少なくとも１つの一体化ワイヤレス通信無線機は、２．４ｇｈｚ  ｗｉｆｉ周波数接続、５．０ｇｈｚ  ｗｉｆｉ周波数接続、Ｂｌｕｅｔｏｏｔｈ（登録商標）接続、アナログデータ無線接続、３ｇモバイルデータネットワーク接続、４ｇモバイルデータネットワーク接続、４ｇＬＴＥモバイルデータネットワーク接続、及び５ｇモバイルデータネットワーク接続のうちの少なくとも１つの機能を提供するように構成されている、実施形態１９の喉頭鏡。
【００８０】
実施形態２１。前記集積回路は、前記少なくとも１つのセンサの出力を増幅するためのオンボード回路、前記少なくとも１つのセンサの出力を調整するためのオンボード回路、前記少なくとも１つのセンサの出力を機械可読なフォーマットに変換するためのオンボード回路、前記少なくとも１つのセンサの出力を前記喉頭鏡とは別個のリモートデバイスに物理ワイヤを介して送信するためのオンボード回路、前記少なくとも１つのセンサの出力を前記喉頭鏡とは別個のリモートデバイスに前記少なくとも１つの一体化ワイヤレス通信無線機を介して送信するためのオンボード回路、前記センサの出力を前記喉頭鏡とは別個のリモートデバイスに通信ネットワークを介して送信するためのオンボード回路、またはそれらの任意の組み合わせのうちの少なくとも１つを含む、実施形態１９の喉頭鏡。
【００８１】
実施形態２２。前記電子部品モジュールは、ハードウェアビデオ符号化、一般的なデータ処理、ファームウェアの記憶及び管理、データ暗号化、オーディオ符号化、可視スペクトル光及び不可視スペクトル光の分析、電流分析、画像深度処理、またはそれらの任意の組み合わせのうちの少なくとも１つの機能を提供するように構成された少なくとも１つのデータ処理ユニットを提供する、実施形態２の喉頭鏡。
【００８２】
実施形態２３。前記データ処理ユニットのうちの少なくとも１つは、縮小命令セットコンピュータ（ＲＩＳＣ）、Ｍｉｃｒｏｐｒｏｃｅｓｓｏｒ  ｗｉｔｈｏｕｔ  Ｉｎｔｅｒｌｏｃｋｅｄ  Ｐｉｐｅｌｉｎｅ  Ｓｔａｇｅｓ（ＭＩＰＳ）、Ａｄｖａｎｃｅｄ  ＲＩＳＣ  Ｍａｃｈｉｎｅ（ＡＲＭ）、ＡＲＭ３２ビット（ＡＡｒｃｈ３２）、ＡＲＭ６４ビット（ＡＡｒｃｈ６４）、単一命令複数データ（ＳＩＭＤ）、単一命令複数スレッド（ＳＩＭＴ）、複数命令ストリーム複数データストリーム（ＭＩＭＤ）、ｘ８６、もしくはｘ８６  Ａｔｏｍ、またはそれらの任意の組み合わせのうちの少なくとも１つのアーキテクチャを利用する、実施形態２２の喉頭鏡。
【００８３】
実施形態２４。前記少なくとも１つのデータ処理ユニットは、前記未加工データを、ＭＪＰＥＧ、Ｈ．２６４、ＨＥＶＣ、Ｈ．２６５、もしくはＭＰＥＧ−４、またはそれらの任意の組み合わせのうちの少なくとも１つのコーデック標準に符号化する、実施形態２３の喉頭鏡。
【００８４】
実施形態２５。前記未加工データは一体化ハードウェア符号器を用いて符号化される、実施形態２２の喉頭鏡。
【００８５】
実施形態２６。前記集積回路は、前記少なくとも１つのセンサの電力消費の必要性のためのオンボードバッテリを含む、実施形態１の喉頭鏡。
【００８６】
実施形態２７。前記電子部品モジュールは、前記喉頭鏡とは別個のデバイスから電力を受け取るための別個の導体を含む、実施形態１の喉頭鏡。
【００８７】
実施形態２８。ＬＥＤ、照明導体、またはそれらの任意の組み合わせのうちの少なくとも１つをさらに含む、実施形態１の喉頭鏡。
【００８８】
実施形態２９。前記ＬＥＤは前記電子部品モジュールとは独立して機能する、実施形態１の喉頭鏡。
【００８９】
実施形態３０。前記電子部品モジュールは、前記ＬＥＤ、前記照明導体、またはそれらの任意の組み合わせのうちの少なくとも１つから電流を引き込むように構成されている、実施形態２８の喉頭鏡。
【００９０】
実施形態３１。前記電子部品モジュールは、前記喉頭鏡のハンドルに結合されるようにサイズ決め及び成形されるように構成されている、実施形態１の喉頭鏡。
【００９１】
実施形態３２。前記電子部品モジュールは、前記ハンドルの前記最下部に結合されるようにサイズ決め及び成形されている、実施形態１の喉頭鏡。
【００９２】
実施形態３３。前記電子部品モジュールは、前記ハンドル上に配置されたドアを介して前記喉頭鏡に結合されるように構成され、それによって内部のキャビティを露出させている、実施形態１の喉頭鏡。
【００９３】
実施形態３４。前記ドアと前記ハンドルとの結合は、取り外し可能なドア、スライディングドア、機械的にヒンジで連結されたドア、またはリビングヒンジで連結された（ｌｉｖｅ  ｈｉｎｇｅｄ）ドアのうちの１つから選択される、実施形態３３の喉頭鏡。
【００９４】
実施形態３５。前記ハンドルは、移動可能な進入面を前記ハンドルの外面上に含み、そのため、前記電子部品モジュールが前記進入面に対して付勢されたときに、前記ハンドル内に配置された相補的な嵌合メカニズムに前記電子部品モジュールが結合されるまで前記進入面及び電子部品モジュールが前記ハンドル内へと平行移動し、それによって前記電子部品モジュールが前記ハンドルに機械的に結合される、実施形態１の喉頭鏡。
【００９５】
実施形態３６。前記ブレードはヒンジで連結され、それによって従来の喉頭鏡または高角度の喉頭鏡のいずれかとして構成され得る、実施形態１の喉頭鏡。
【００９６】
実施形態３７。前記ヒンジ連結は、前記電子部品モジュールの存在によって調整される、実施形態３６の喉頭鏡。
【００９７】
実施形態３８。前記ヒンジ連結は、前記電子部品モジュールの非存在によって調整される、実施形態３６の喉頭鏡。
【００９８】
実施形態３９。前記ヒンジ連結は、前記少なくとも１つのセンサによって過剰な流体が検出されると調整される、実施形態３６の喉頭鏡。
【００９９】
実施形態４０。前記ヒンジ連結は、前記少なくとも１つのセンサによって前記患者内の異常な解剖学的構造が検出されると調整される、実施形態３６の喉頭鏡。
【０１００】
実施形態４１。前記特定分子検知機能は、Ｏ２、Ｎ２、ＣＯ２、ＨＣｌ、ＮａＣｌ、及びＫＣｌのうちの少なくとも１つを認識するように構成された前記少なくとも１つのセンサを用いて実現される、実施形態１の喉頭鏡。
【０１０１】
実施形態４２。前記少なくとも１つのセンサは、接触センサ、存在する周囲のガスを測定するためのセンサ、またはそれらの任意の組み合わせのうちの少なくとも１つを含む、実施形態４１の喉頭鏡。
【０１０２】
実施形態４３。前記遠位先端部と前記近位先端部との間の前記少なくとも１つの入口は、前記少なくとも１つのセンサが流体または組織によって覆われたときに前記少なくとも１つの出口に真空を適用することによって前記少なくとも１つのセンサを清掃するように方向付けられている、実施形態１の喉頭鏡。
【０１０３】
実施形態４４。前記電子部品モジュールは、前記少なくとも１つのセンサが検出した前記未加工データに基づいて前記患者内の少なくとも１つの解剖学的マーカーを特定する視覚フィードバックを生成することができる、実施形態２の喉頭鏡。
【０１０４】
実施形態４５。前記解剖学的マーカーは、臼歯、軟口蓋、口蓋舌弓、口蓋垂、口蓋扁桃、口蓋咽頭弓、中咽頭、喉頭蓋、食道、声門、楔状結節、小角結節（ｃｏｎｃｉｃｕｌａｔｅ  ｔｕｂｅｒｃｌｅ）、真声帯、仮声帯、開いた声帯、閉じた声帯、またはそれらの任意の組み合わせのうちの少なくとも１つを含む、実施形態４４の喉頭鏡。
【０１０５】
実施形態４６。前記電子部品モジュールは、前記少なくとも１つのセンサのうちの２つ以上からの未加工データを統合して、前記ブレードが前記患者内の所与の解剖学的マーカー内にあることの確実性を向上させることができる、実施形態４４の喉頭鏡。
【０１０６】
実施形態４７。前記視覚フィードバックを表示するための視覚ディスプレイである、照光ＬＥＤ、選択的照光ＬＥＤアレイ、無反射型ｅインク型ディスプレイ、または反射型ＬＣＤ型ディスプレイのうちの少なくとも１つをさらに含む、実施形態４４の喉頭鏡。
【０１０７】
実施形態４８。前記電子部品モジュールは、リモートデバイス、サーバ、データベース、システムコンピュータ、またはそれらの任意の組み合わせのうちの少なくとも１つに前記視覚フィードバックを送信するように構成されている、実施形態４４の喉頭鏡。
【０１０８】
実施形態４９。前記視覚フィードバックは、前記ブレードの前記先端部付近のカメラからのライブ画像上のオーバーレイとして提供される、実施形態４８の喉頭鏡。
【０１０９】
実施形態５０。前記視覚フィードバックは、解剖学的特徴及び前記患者内で前記ブレードがたどるべき進路のライブワイヤーフレーム型アウトラインを提供することによって提供される、実施形態４９の喉頭鏡。
【０１１０】
実施形態５１。前記視覚フィードバックは、ユーザが前記喉頭鏡を挿管が成功する進路に向けて前記患者内で導くことを助けるように、ユーザインターフェース内に表示される、実施形態４４の喉頭鏡。
【０１１１】
実施形態５２。電子センサモジュールは、前記集積回路を管理するためにＬｉｎｕｘ（登録商標）組込み開発環境（Ｌｉｎｕｘ（登録商標）  Ｅｍｂｅｄｄｅｄ  Ｄｅｖｅｌｏｐｍｅｎｔ  Ｅｎｖｉｒｏｎｍｅｎｔ（ＬＥＤＥ））を用いる、実施形態１の喉頭鏡。
【０１１２】
実施形態５３。測定し少なくとも１つの出力信号を送信する喉頭鏡と、前記喉頭鏡から前記少なくとも１つの出力信号を受信して、前記少なくとも１つの出力信号をリアルタイムで表示するように構成されたコンピューティングデバイスと、ユーザが前記少なくとも１つの出力信号をモニタするためのオプションを見てカスタマイズすることを可能にする、前記コンピューティングデバイス上のグラフィカルユーザインターフェースと、を含む、喉頭鏡の挿管のためのシステムであって、前記喉頭鏡と前記コンピューティングデバイスとは通信ネットワークを介して互いに通信可能に接続されている、前記システム。
【０１１３】
実施形態５４。前記喉頭鏡は、最上部、最下部、及び少なくとも１つの出口を含む、ハンドルと、遠位先端部及び近位部分を有し、前記近位部分は前記ハンドルの前記最下部に接続されている、ブレードと、前記ハンドル及び前記ブレードの断面の少なくとも一部を通って延びるように構成された少なくとも１つの吸引チャネルと、前記ブレードの前記近位部分と前記遠位先端部との間に位置し、患者に挿管されたときに未加工データを検出するようにさらに構成された少なくとも１つのセンサと、前記未加工データを前記少なくとも１つの出力に変換するように構成された電子部品モジュールと、を含み、前記ブレードは、前記ハンドルから前記遠位先端部まで実質的に垂直な角度で外向きに突出するように構成され、前記ブレードは、（ａ）前記遠位先端部付近の少なくとも１つの入口と、（ｂ）前記遠位先端部と近位先端部との間の少なくとも１つの入口と、をさらに含み、前記ハンドルは、前記電子部品モジュールに結合されるようにサイズ決め及び成形され、前記電子部品モジュールは集積回路を含み、前記少なくとも１つの出口、前記遠位先端部付近の前記少なくとも１つの入口、前記遠位先端部と前記近位先端部との間の前記少なくとも１つの入口、及び少なくとも１つの流体チャネルは、互いに流体連絡するように構成されている、実施形態５３のシステム。
【０１１４】
実施形態５５。（ｉ）前記少なくとも１つの出力信号を記憶して分析するように構成され、かつ（ｉｉ）前記通信ネットワークを介してローカルデバイス及び前記コンピューティングデバイスに接続される、ホスト型サーバをさらに含む、実施形態５３のシステム。
【０１１５】
実施形態５６。前記ホスト型サーバは、（ｉ）患者内での前記喉頭鏡の現在の解剖学的位置を決定するように、（ｉｉ）前記患者内の好ましい解剖学的位置までの経路を決定するように、かつ（ｉｉｉ）ユーザが前記喉頭鏡を前記好ましい解剖学的位置まで導くことができるよう前記ユーザが従うべきデジタルガイダンスを提供するように、さらに構成されている、実施形態５５のシステム。
【０１１６】
実施形態５７。前記現在の解剖学的位置、前記好ましい解剖学的位置、前記好ましい解剖学的位置までの前記経路、及び前記デジタルガイダンスは、確率アルゴリズム、機械学習アルゴリズム、またはそれらの組み合わせのうちの少なくとも１つによって決定される、実施形態５５のシステム。
【０１１７】
実施形態５８。確率アルゴリズムまたは機械学習アルゴリズムは前記コンピューティングデバイス内に記憶されている、実施形態５７のシステム。
【０１１８】
実施形態５９。確率アルゴリズムまたは機械学習アルゴリズムは前記喉頭鏡内に記憶されている、実施形態５７のシステム。
【０１１９】
実施形態６０。前記集積回路は、ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、ＵＳＢビデオデバイスクラス（ＵＶＣ）、光を生成してその周囲によって反射された光の周波数を測定すること、またはそれらの任意の組み合わせのうちの少なくとも１つの機能を提供する、実施形態５４のシステム。
【０１２０】
実施形態６１。最上部、最下部、及び少なくとも１つの出口を含む、ハンドルと、遠位先端部及び近位部分を有し、前記近位部分は前記ハンドルの前記最下部に接続されている、ブレードと、前記ハンドル及び前記ブレードの断面の少なくとも一部を通って延びるように構成された少なくとも１つの流体チャネルと、前記ブレードの前記近位部分と前記遠位先端部との間に位置し、患者に挿管されたときに未加工データを検出するようにさらに構成された少なくとも１つのセンサと、電子部品モジュールと、を含む喉頭鏡であって、前記ブレードは、前記ハンドルから前記遠位先端部まで実質的に垂直な角度で外向きに突出するように構成され、前記ブレードは、（ａ）前記遠位先端部付近の少なくとも１つの入口と、（ｂ）前記遠位先端部と近位先端部との間の少なくとも１つの入口と、をさらに含み、前記ハンドルは、前記電子部品モジュールに結合されるようにサイズ決め及び成形され、前記電子部品モジュールは少なくとも１つの集積回路を含み、前記少なくとも１つの出口、前記遠位先端部付近の前記少なくとも１つの入口、前記遠位先端部と前記近位先端部との間の前記少なくとも１つの入口、及び前記少なくとも１つの流体チャネルは、互いに流体連絡するように構成されている、前記喉頭鏡。
【０１２１】
実施形態６２。前記少なくとも１つの集積回路は、ｐＨの検知、ＣＯ２の検知、音響の検知、静電容量の検知、インダクタンスの検知、温度の検知、特定分子の検知、両眼画像の検知、単眼画像の検知、配列された画像の検知、環境色の検知、ＵＳＢビデオデバイスクラス（ＵＶＣ）、光を生成してその周囲によって反射された光の周波数を測定すること、またはそれらの任意の組み合わせのうちの少なくとも１つの機能を提供する、実施形態６１の喉頭鏡。
【０１２２】
実施形態６３。コンピュータ可読命令を有するコンピュータ可読プログラムコードを有形に具現化するコンピュータ可読記憶媒体であって、前記コンピュータ可読命令は、実行されると、喉頭鏡がユーザによって患者に挿管されたときに前記喉頭鏡上の少なくとも１つのセンサによって前記患者の少なくとも１つの解剖学的特徴を検出するステップと、前記少なくとも１つの解剖学的特徴を電子部品モジュールに送信するステップと、前記電子部品モジュールによって前記患者内での前記喉頭鏡の好ましい経路を決定するステップと、前記好ましい経路を、グラフィックユーザインターフェース上に解剖学的オーバーレイとして表示されるようにリモートデバイスに送るステップと、前記解剖学的オーバーレイにより前記喉頭鏡を前記患者内の前記好ましい経路に設けるステップと、をコンピュータに行わせる、前記コンピュータ可読記憶媒体。
【０１２３】
実施形態６４。前記少なくとも１つの解剖学的特徴は、ｐＨ、ＣＯ２、音響、静電容量、インダクタンス、温度、特定分子、両眼画像、単眼画像、配列された画像、環境色などのうちの少なくとも１つを含む、実施形態６３の方法。
【図面の簡単な説明】
【０１２４】
図は必ずしも一定の比率で描かれてはおらず、いくつかの図にわたって同様の数字は実質的に同様の構成部品を記述している。図面は、一例として、しかし限定としてではなく、本明細書の特許請求の範囲に記載された種々の実施形態を全般的に例示している。
【０１２５】
【図１Ａ】本開示の原理により構成された改善された喉頭鏡の例の側面斜視図である。
【図１Ｂ】図１Ａの改善された喉頭鏡の背面斜視図である。
【図２Ａ】本開示の原理により構成された改善された喉頭鏡の別の例の等角ワイヤフレーム図である。
【図２Ｂ】図２Ａの改善された喉頭鏡の別の等角ワイドフレーム図である。
【図２Ｃ】図２Ａの改善された喉頭鏡の等角ワイドフレーム図である。
【図２Ｄ】改善された喉頭鏡のブレード部分の等角ワイドフレーム図である。
【図３Ａ】本開示の原理により構成された改善された喉頭鏡のさらに別の例の側面斜視図である。
【図３Ｂ】図３Ａの改善された喉頭鏡の等角ワイドフレーム図である。
【図４】本開示の原理により構成された改善された喉頭鏡のさらに別の例の等角ワイドフレーム図である。
【図５Ａ】改善された喉頭鏡、及び該改善された喉頭鏡の、電子部品モジュールと嵌合する方法を示す。
【図５Ｂ】改善された喉頭鏡、及び該改善された喉頭鏡の、電子部品モジュールと嵌合する方法を示す。
【図６】本開示の原理により構成された、ＬＥＤが配置された改善された喉頭鏡のさらに別の例の側面図の例を示す。
【図７】本開示の原理により構成された、スピーカがそのボディ上に配置された改善された喉頭鏡のさらに別の例の側面図を示す。
【図８】本開示の原理により構成された、改善された喉頭鏡から感覚データを収集するためのシステムの例を示す。
【図９Ａ】本開示の原理により構成された拡張現実オーバーレイの例を示す。
【図９Ｂ】本開示の原理により構成された拡張現実オーバーレイのさらなる例を示す。
【図１０】本開示の原理により構成された、リモートデバイス上に示された拡張現実オーバーレイのさらに別の例を示す。
【図１１】本開示の原理により構成された、改善された喉頭鏡から感覚データを収集するためのシステムの例を示す。
【図１２】本開示の原理により構成された、改善された喉頭鏡によって容易となる学習過程の例を示す。
【発明を実施するための形態】
【０１２６】
開示の詳細な説明
開示内容ならびにその種々の特徴及び有利な詳細を、添付の図面に記載及び／または例示されて以下の説明で詳述される非限定的な実施態様及び例を参照してより十分に説明する。なお、図面に例示した特徴は必ずしも一定の比率で描かれてはおらず、ある実施態様の特徴が他の実施態様とともに用いてもよいことは、本明細書において明示的に述べられていなくても、当業者であれば分かることである。周知の構成部品及び処理技術の説明は、開示内容の実施態様を不必要に不明瞭にしないために省略する場合がある。本明細書で用いる例は単に、開示内容を実施し得る方法の理解を容易にして、さらに当業者が開示内容の実施態様を実施することを可能にすることを意図している。したがって、本明細書における例及び実施態様は、開示内容の範囲を限定するものと解釈してはならない。
【０１２７】
明細書及び特許請求の範囲の全体を通して、以下の用語は、文脈からそうでないと示される場合を除いて、少なくとも本明細書で明示的に対応付けられる意味を取る。以下に特定する意味は必ずしも用語を限定するわけではなく、しかし用語に対する例示的な例を単に提供するだけである。「ａ」、「ａｎ」、及び「ｔｈｅ」の意味は複数形に対する言及を含んでいてもよく、「ｉｎ」の意味は「ｉｎ」及び「ｏｎ」を含んでいてもよい。語句「ある実施態様において」は、本明細書で用いる場合、必ずしも同じ実施態様を指すわけではない。
【０１２８】
用語「結合された」は少なくとも、接続された物品間の直接的な電気接続または１つ以上の受動的もしくは能動的な中継装置を通した間接的な接続のいずれかを意味する。用語「回路」は少なくとも、単一の部品、または所望の機能を提供するように互いに結合された多数部品（能動的及び／または受動的）のいずれかを意味する。用語「信号」は、本明細書で用いる場合、当業者によって理解され得る任意の意味を含んでいてもよく、少なくとも電流、電圧、電荷、温度、データの電気的もしくは磁気的表現、または１つ以上の伝送媒体上で表現され、全般的に、送信し、受信し、記憶し、比較し、結合し、またはそうでなければ任意の同等な方法で操作することができる１つ以上のメモリ位置の状態を含む。
【０１２９】
たとえば「提供する」、「処理する」、「供給する」、「決定する」、「計算する」などの用語は、少なくとも、コンピュータシステム、コンピュータプログラム、信号プロセッサ、論理回路、または代替的なアナログもしくはデジタル電子デバイスの動作であって、自動で開始されようと手動で開始されようと、物理量として表された信号を変化させ得る動作を指してもよい。
【０１３０】
「コンピュータ」は、本開示で用いる場合、１つ以上の命令に従ってデータを操作することができる任意のマシン、デバイス、回路、構成部品、もしくはモジュール、またはマシン、デバイス、回路、構成部品、モジュールなどの任意のシステム、たとえば、非限定的に、プロセッサ、マイクロプロセッサ、中央演算処理装置、汎用コンピュータ、クラウド、スーパーコンピュータ、パーソナルコンピュータ、ラップトップコンピュータ、パームトップコンピュータ、モバイルデバイス、タブレットコンピュータ、ノートブックコンピュータ、デスクトップコンピュータ、ワークステーションコンピュータ、サーバなど、またはプロセッサ、マイクロプロセッサ、中央演算処理装置、汎用コンピュータ、スーパーコンピュータ、パーソナルコンピュータ、ラップトップコンピュータ、パームトップコンピュータ、モバイルデバイス、タブレットコンピュータ、ノートブックコンピュータ、デスクトップコンピュータ、ワークステーションコンピュータ、サーバなどのアレイなどを意味する。
【０１３１】
「サーバ」は、本開示で用いる場合、クライアント−サーバアーキテクチャの一部として接続クライアントに対するサービスを実行するための少なくとも１つのアプリケーション及び／または少なくとも１つのコンピュータなどのソフトウェア及び／またはハードウェアの任意の組み合わせを意味する。少なくとも１つのサーバアプリケーションは、限定されるものではないが、たとえば、クライアントに応答を送り返すことによってクライアントからのサービス要求に対する接続を承認することができるアプリケーションプログラムを含んでいてもよい。サーバは、少なくとも１つのアプリケーションを、多くの場合に重い作業負荷の下で、無人で、長期間、最少の人間の命令で実行するように構成してもよい。サーバは、構成された複数のコンピュータを含んでいてもよく、少なくとも１つのアプリケーションは作業負荷に応じてコンピュータ間で分割される。たとえば、軽い負荷の下では、少なくとも１つのアプリケーションを単一のコンピュータ上で実行することができる。しかし、重い負荷の下では、少なくとも１つのアプリケーションを実行するために複数のコンピュータが必要となる場合がある。サーバ、またはもしそのコンピュータであれば任意のものは、ワークステーションとして用いてもよい。
【０１３２】
「データベース」は、本開示で用いる場合、少なくとも１つのアプリケーション及び／または少なくとも１つのコンピュータなどのソフトウェア及び／またはハードウェアの任意の組み合わせを意味する。データベースは、たとえば、限定されるものではないが、関係モデル、階層モデル、ネットワークモデル等のうちの少なくとも１つなどのデータベースモデルに従って組織化された記録またはデータの構造化収集を含んでいてもよい。データベースは、当該技術分野で知られるように、データベース管理システムアプリケーション（ＤＢＭＳ）を含んでいてもよい。少なくとも１つのアプリケーションは、限定されるものではないが、たとえば、クライアントに応答を送り返すことによってクライアントからのサービス要求に対する接続を承認することができるアプリケーションプログラムを含んでいてもよい。データベースは、少なくとも１つのアプリケーションを、多くの場合に重い作業負荷の下で、無人で、長期間、最少の人間の命令で実行するように構成してもよい。
【０１３３】
「通信ネットワーク」は、本開示で用いる場合、少なくとも２点間でデータまたは情報を伝える有線及び／または無線媒体を意味する。有線または無線媒体は、たとえば、非限定的に、金属導体リンク、無線周波数（ＲＦ）通信リンク、赤外線（ＩＲ）通信リンク、電気通信ネットワーク、光通信リンク、インターネット（無線及び有線）などを含んでいてもよい。ＲＦ通信リンクは、たとえば、ＷｉＦｉ、ＷｉＭＡＸ、ＩＥＥＥ８０２．１１、ＤＥＣＴ、０Ｇ、１Ｇ、２Ｇ、３Ｇ、４Ｇ、５Ｇまたは将来のセルラー規格、Ｂｌｕｅｔｏｏｔｈ（登録商標）、Ｂｌｕｅｔｏｏｔｈ（登録商標）  Ｌｏｗ  Ｅｎｅｒｇｙ、ＮＦＣ、超音波、誘導、レーザ（または同様の光伝送）などを含んでいてもよい。
【０１３４】
「コンピュータ可読記憶媒体」は、本開示で用いる場合、コンピュータが読み取り得るデータ（たとえば、命令）を提供することに関与する任意の媒体を意味する。このような媒体は、不揮発性媒体、揮発性媒体、及び伝送媒体などの多くの形態を取ってもよい。不揮発性媒体は、たとえば、光または磁気ディスク、フラッシュメモリ、及び他の永続的なメモリを含んでいてもよい。揮発性媒体は、ダイナミックランダムアクセスメモリ（ＤＲＡＭ）を含んでいてもよい。伝送媒体は、プロセッサに結合されたシステムバスを含むワイヤなどの、同軸ケーブル、銅ワイヤ、及び光ファイバを含んでいてもよい。伝送媒体は、音波、光波、及び電磁放射、たとえば、無線周波数（ＲＦ）及び赤外線（ＩＲ）データ通信の間に発生するものを含んでいてもよいしまたはそれらを伝えてもよい。コンピュータ可読媒体の一般的な形式としては、たとえば以下が挙げられる：フロッピーディスク、フレキシブルディスク、ハードディスク、磁気テープ、任意の他の磁気媒体、ＣＤ−ＲＯＭ、ＤＶＤ、任意の他の光媒体、パンチカード、紙テープ、孔のパターンを有する任意の他の物理媒体、ＲＡＭ、ＰＲＯＭ、ＥＰＲＯＭ、フラッシュＥＥＰＲＯＭ、任意の他のメモリチップまたはカートリッジ、以下に記載する搬送波、またはコンピュータが読み取ることができる任意の他の媒体。コンピュータ可読媒体は、複数（たとえば、数千）のコンピュータ上の複数（たとえば、数千）のメモリキャッシュに渡るファイルの分配を含む「クラウド」を含んでいてもよい。
【０１３５】
種々の形態のコンピュータ可読媒体が、コンピュータに命令のシーケンスを運ぶのに関与していてもよい。たとえば、命令のシーケンスを（ｉ）ＲＡＭからプロセッサに送出してもよく、（ｉｉ）無線伝送媒体を介して伝えてもよく、及び／または（ｉｉｉ）たとえば、ＷｉＦｉ、ＷｉＭＡＸ、ＩＥＥＥ８０２．１１、ＤＥＣＴ、０Ｇ、１Ｇ、２Ｇ、３Ｇもしくは４Ｇセルラー規格、Ｂｌｕｅｔｏｏｔｈ（登録商標）などを含む多くのフォーマット、規格もしくはプロトコルに従ってフォーマットしてもよい。
【０１３６】
「ネットワーク」は、本開示で用いる場合、限定されるものではないが、たとえばローカルエリアネットワーク（ＬＡＮ）、ワイドエリアネットワーク（ＷＡＮ）、メトロポリタンエリアネットワーク（ＭＡＮ）、パーソナルエリアネットワーク（ＰＡＮ）、キャンパスエリアネットワーク、企業エリアネットワーク、グローバルエリアネットワーク（ＧＡＮ）、ブロードバンドエリアネットワーク（ＢＡＮ）、セルラーネットワーク、インターネット、クラウドネットワークなど、または前述したものの任意の組み合わせのうちの少なくとも１つを意味し、これらのいずれも、無線及び／または有線通信媒体を介してデータを伝達するように構成してもよい。これらのネットワークは、ＴＣＰ／ＩＰ、ＩＲＣ、ＳＳＬ、ＴＬＳ、ＵＤＰ、またはＨＴＴＰに限定されない種々のプロトコルを実行してもよい。
【０１３７】
用語「センサ」は、ｐＨの検知、ＣＯ２の検知、音響の検知、静電容量の検知、インダクタンスの検知、温度の検知、特定分子の検知、または環境色の検知が可能であり、その検知の出力を、相補型電子機器が次いで読み取り得る電気信号として提示することが可能な、電子デバイス、電気化学デバイス、電気機械デバイス、または微小電気機械システム（ＭＥＭＳ）デバイスを意味すると理解すべきである。前述の「センサ」の定義はまた、単一の場所または複数の場所に配置された画像取込用にデザインされた電子デバイスを含むと理解されるものとする。画像取込センサには、可視、ＩＲ、及びＵＶスペクトルに応答性のものが含まれるものとする。前述の「センサ」の定義はまた、対になったエネルギー放出部及び受取部を含むものとし、たとえば、周囲によって反射された光を記録及び測定する電子機器と対になった照光ＬＥＤ、及び周囲によって反射された音エネルギーを記録する電子機器と対になったスピーカまたは圧電性物質などの音響エネルギー放出部を含む。互いに連絡しているデバイスは、特に明白な規定のない限り、互いに連続的に連絡している必要はない。加えて、互いに連絡しているデバイスは、直接的にまたは１つ以上の媒介物を通して間接的に連絡してもよい。
【０１３８】
プロセスステップ、方法ステップ、アルゴリズムなどが順番に記載される場合があるが、このようなプロセス、方法、及びアルゴリズムは代替的な順番で動作するように構成してもよい。言い換えれば、記載され得るステップのどんな順序または順番も、必ずしもステップをその順序で行うべきという要件を示すものではない。本明細書で説明するプロセス、方法、またはアルゴリズムのステップは、実用的な任意の順番で行ってもよい。さらに、いくつかのステップは同時に行ってもよい。
【０１３９】
単一のデバイスまたは物品について本明細書で説明するとき、単一のデバイスまたは物品の代わりに２つ以上のデバイスまたは物品を用いてもよいことが容易に明らかである。同様に、２つ以上のデバイスまたは物品について本明細書で説明するとき、２つ以上のデバイスまたは物品の代わりに単一のデバイスまたは物品を用いてもよいことが容易に明らかである。デバイスの機能または特徴を代替的に、このような機能または特徴を有すると明示的には記載されていない１つ以上の他のデバイスによって具体化してもよい。
【０１４０】
図１Ａ及び１Ｂを同時に参照すると、喉頭鏡１０００は、ハンドル１２００、ブレード１１００、少なくとも１つのセンサ１４３０、及び少なくとも１つの流体チャネル１３００を含み、ハンドル１２００は、（ａ）取り外し可能な電子部品モジュール１４００を保持するように構成された最上部と、（ｂ）ブレード部分１１００に交差部１１２０で接続されるように構成された最下部とを含み、ブレード部分１１００は、近位面１１１０と遠位先端部１４９０とを含み、（ａ）近位面１１１０は、ハンドル１２００の最下部と接続するように構成され、（ｂ）遠位先端部１４９０は、少なくとも１つの遠位流体入口１３２０を含み、少なくとも１つのセンサ１４３０は、遠位先端部１４９０付近に位置するように構成され、遠位先端部１４９０は、少なくとも１つのセンサ１４３０付近の少なくとも１つの近位流体入口１３３０を含み、少なくとも１つの流体チャネル１３００は、（ａ）少なくとも１つの遠位流体入口１３２０及び（ｂ）少なくとも１つの近位流体入口１３３０と流体連絡するように構成された少なくとも１つの流体出口１３１０を含んでいる。本開示の一実施形態では、ハンドル１２００とブレード１１００とは１つの単一ユニットとなるように構成してもよい。本開示の別の実施形態では、ハンドル１２００とブレード１１００とは、たとえばネジ、釘、留め具、接着剤、粘着剤などによって結合した別個のユニットであってもよい。
【０１４１】
喉頭鏡１０００はまた、少なくとも１つの流体出口１３１０付近に位置し、かつ少なくとも１つの流体出口１３１０と少なくとも１つの遠位流体入口１３２０との間の流体連絡を制御する（または閉じる）ように構成された、バルブシステム１３４０を含んでいてもよい。
【０１４２】
喉頭鏡１０００はさらに、ハンドル１２００及びブレード部分１１００内のセンサチューブキャビティ１１３０を通るフレキシブルセンサチューブ１４１０によって少なくとも１つのセンサ１４３０に取り外し可能な電子部品モジュール１４００を接続するように構成された、フレキシブルセンサチューブ１４１０を含んでいてもよい。
【０１４３】
本開示の一実施形態では、喉頭鏡１０００はさらに、ハンドル１２００の最上部からブレード１１００を通って内部で延び、少なくとも１つの遠位流体入口１３２０及び少なくとも１つの近位流体入口１３３０において終わる、少なくとも１つの流体チャネル１３００を含んでいてもよく、少なくとも１つの近位流体入口１３３０は、少なくとも１つのセンサ１４３０付近に（または少なくとも１つのセンサ１４３０に）位置し、少なくとも１つの流体チャネル１３００、少なくとも１つの遠位流体入口１３２０、及び少なくとも１つの近位流体入口１３３０は、少なくとも１つの流体チャネル１３００を介して、ハンドル１２００の最上部付近に（またはハンドル１２００の最上部に）位置する少なくとも１つの流体出口１３１０と流体連絡している。
【０１４４】
喉頭鏡の一実施形態では、ハンドル１２００は接点１４７０を含んでいてもよく、ブレード１１００は遠位流体入口１３２０付近に誘導性検知モジュール１４６０を含んでいる。誘導性検知モジュール１４６０は、少なくとも１つの遠位流体入口１３２０付近の領域内に埋め込まれた電気リードまたは誘導コイルから形成されていてもよい。取り外し可能な電子部品モジュール１４００がハンドル１２００に結合されたときに、ハンドル１２００上の接点１４７０と誘導性検知モジュール１４６０との間に電気的連絡が確立されてもよい。ブレード１１００の遠位先端部１４９０付近の流体の有無を検出するように構成された少なくとも１つのセンサ１４３０が報告するある特定の容量状態または誘導状態の存在により、取り外し可能な電子モジュール１４００は、バルブシステム１３４０をアクティブ化または非アクティブ化させて、それによって過剰な流体を排出することができる。
【０１４５】
本開示のさらなる実施形態によれば、電子部品モジュール１４００は以下を含んでいてもよい：（ａ）電子部品モジュール１４００に（及びセンサチューブ１４１０を通して少なくとも１つのセンサ１４３０に）電力を提供するバッテリ１４５０と、（ｂ）少なくとも１つのセンサ１４３０から受信した流体に関するデータ（または任意の他の生体内情報）を処理するデータ処理ユニット１４８０と、（ｃ）データを符号化する感覚データ符号器１４４０と、（ａ）感覚データ符号器１４４０から符号化データを受信して、前記データをリモートデバイス、サーバ、またはデータベースに送信するように構成されたネットワーク無線機１４２０。本開示の一実施形態では、感覚データ符号器１４４０は、たとえばシステム管理者、医師、看護師などから、喉頭鏡１０００の使用に関する命令、たとえば流体の収集を開始または停止すること、流体に関するデータを送信すること、電子部品モジュール１４００（または少なくとも１つのセンサ１４３０）上の電源を入れる（または電源を切る）こと、少なくとも１つのセンサ１４３０からの未加工データまたは分析データの記録を制御することなどを受信するように構成してもよい。
【０１４６】
本開示の一実施形態では、少なくとも１つのセンサ１４３０は、処理のために電子部品モジュールに送るべきｐＨ、ＣＯ２、音響、静電容量、インダクタンス、温度、特定分子、両眼画像、単眼画像、配列された画像、または環境色を検出するように構成してもよい。またセンサは、光を生成して光の周波数を測定してもよい。
【０１４７】
次に図２Ａ、２Ｂ、２Ｃ、及び２Ｄを参照して、喉頭鏡２０００の別の実施形態を開示する。喉頭鏡２０００は、ハンドル２２００、ブレード２１００、電子部品モジュール２４００、少なくとも１つのセンサ２４３０、流体出口２３１０、少なくとも１つの流体チャネル２３６０、遠位流体入口２３２０、及び近位流体入口２３３０を含み、ハンドル２２００は、（ａ）ハンドル２２００から突出する流体出口２３１０を収容する（または囲む）ように構成された最上部と、（ｂ）ブレード２１００と接続するように構成された最下部と、（ｃ）流体連絡のために遠位流体入口２３２０まで内部で延びるように構成された遠位流体チャネル２３６０を収容する（または囲む）ように構成された遠位ハンドル面２２２０と、（ｄ）流体連絡のために近位流体入口２３３０まで内部で延びるように構成された近位流体チャネル２３５０を収容する（または囲む）ように構成された近位ハンドル面２２１０とを含み、ブレード部分２１００は、ハンドル２２００の最下部に結合されるように構成され、さらに近位先端部２４８０と遠位先端部２４９０とを含み、（ａ）近位先端部２４８０は、近位流体入口２３３０及び少なくとも１つのセンサ２４３０に（またはその付近に）位置し、（ｂ）遠位先端部２４９０は、遠位流体入口２３２０に（またはその付近に）位置し、少なくとも１つのセンサ２４３０は、ブレード部分２１００内に収容されて、遠位先端部２４９０付近に位置するようにさらに構成され、電子部品モジュール２４００は、ハンドル２２００の内部に収容（または封入）され、ハンドル２２００の最上部と最下部との間に固定して（または取り外し可能に）結合されるように構成されている。本開示の一実施形態では、ハンドル２２００とブレード２１００とは１つの単一ユニットとなるように構成してもよい。本開示の別の実施形態では、ハンドル２２００とブレード２１００とは、たとえばネジ、釘、留め具、接着剤、粘着剤などによって結合した別個のユニットであってもよい。
【０１４８】
喉頭鏡２０００はまた、流体出口２３１０付近のチャネル２４７０に挿入されたバルブシステム２３４０を含んでいてもよい。バルブシステム２３４０はさらに、流体出口２３１０と、遠位流体入口２３２０と、近位流体入口２３３０との間の流体連絡を制御する（または閉じる）ように構成してもよい。バルブシステムは、流体連絡を、たとえば締結メカニズムによって開いても（または閉じても）よい。
【０１４９】
喉頭鏡２０００はさらに、ハンドル２２００及びブレード部分２１００内のセンサチューブキャビティ（図示せず）を通るフレキシブルセンサチューブによって少なくとも１つのセンサ２４３０に電子部品モジュール２４００を接続するように構成された、フレキシブルセンサチューブ（図示せず）を含んでいてもよい。これによって、少なくとも１つのセンサ２４３０は、電子部品モジュール２４００からバッテリパワーを引き込むことができ、及び／または電子部品モジュール２４００に収集データを送信することができる。代替的に、少なくとも１つのセンサ２４３０はそれ自体のバッテリ源を含んでいてもよい。少なくとも１つのセンサ２４３０はまた、収集された（またはモニタされた）データを電子部品モジュール２４００に（またはリモートデバイス、サーバ、データベースなどに）通信ネットワークを介してワイヤレスで送信するワイヤレス送信部を含んでいてもよい。少なくとも１つのセンサ２４３０はまた、電子部品モジュール２４００の一部である（または電子部品モジュール２４００とは別個の）ネットワーク無線機２４２０を介してデータを送信してもよい。
【０１５０】
喉頭鏡の一実施形態では、ハンドル２２００は接点（図示せず）を含んでいてもよく、ブレード２１００は遠位流体入口２３２０付近に誘導性検知モジュール２４６０を含んでいてもよい。誘導性検知モジュール２４６０は、遠位流体入口２３２０付近の領域内に埋め込まれた電気リードまたは誘導コイルから形成されてもよい。電子部品モジュール２４００がハンドル２２００に取り外し可能に（または固定して）結合されたときに、ハンドル２２００上の接点と誘導性検知モジュール２４６０との間に電気的連絡が確立されてもよい。ブレード２１００の遠位先端部２４９０付近の流体の有無（または他の因子、たとえば、ｐＨ、ＣＯ２、音響、静電容量、インダクタンス、温度、特定分子、両眼画像、単眼画像、配列された画像、環境色など）を検出するように構成された少なくとも１つのセンサ２４３０が報告するある特定の容量状態または誘導状態の存在により、取り外し可能な電子モジュール２４００は、バルブシステム２３４０をアクティブ化または非アクティブ化させて、それによって過剰な流体を排出することができる。
【０１５１】
本開示の別の実施形態では、近位流体入口２３３０は、入口を通る体液またはサンプルを収集することに加えて、少なくとも１つのセンサ２４３０が生体内でより明瞭に観察またはモニタすることができるように少なくとも１つのセンサ２４３０をクリーニングする（または少なくとも１つのセンサ２４３０の前方にある障害物を取り除く）ために空気または流体を作用させてもよい。本開示のさらに他の実施形態では、遠位流体入口２３２０から取り入れられた液体が、遠位流体チャネル２３６０及び近位流体チャネル２３５０を通って循環して、最終的に近位流体入口２３３０を出て近位流体入口２３３０を清掃し、それによって少なくとも１つのセンサ２４３０をクリーニングしてもよい。
【０１５２】
本開示のさらなる実施形態によれば、電子部品モジュール２４００は以下を含んでいてもよい：（ａ）電子部品モジュール２４００に（及びセンサチューブを通して少なくとも１つのセンサ２４３０に）電力を提供するバッテリ２４５０と、（ｂ）少なくとも１つのセンサ２４３０から受信した、モニタされた／収集された流体に関する未加工データ（または任意の他の生体内情報）を符号化して、符号化データをデータ処理ユニット２４１０に送信する感覚データ符号器２４４０と、（ｃ）符号化データを処理するデータ処理ユニット２４１０と、（ｄ）データ処理ユニット２４１０から処理データを受信して、処理データをたとえばリモートデバイス、サーバ、データベースなどに送信するように構成されたネットワーク無線機２４２０。本開示の一実施形態では、ネットワーク無線機２４２０は、たとえばシステム管理者、医師、看護師などから、喉頭鏡２０００の使用に関する命令、たとえば流体の収集を開始または停止すること、流体に関するデータを送信すること、電子部品モジュール２４００（または少なくとも１つのセンサ２４３０）上の電源を入れる（または電源を切る）ことなどを受信するように構成してもよい。このような命令は、たとえば、電気部品モジュール２４００、少なくとも１つのセンサ２４３０、バルブシステム２４３０などに埋め込まれた機械読取可能なコードによって行われてもよい。
【０１５３】
本開示の一実施形態では、少なくとも１つのセンサ２４３０は、処理のために電子部品モジュールに送るべきｐＨ、ＣＯ２、音響、静電容量、インダクタンス、温度、特定分子、両眼画像、単眼画像、配列された画像、または環境色を検出するように構成してもよい。またセンサは、光を生成して光の周波数を測定してもよい。
【０１５４】
任意の実施形態では、電気リードまたは誘導コイルから形成された誘導性検知モジュール２４６０が、遠位流体入口２４９０付近の領域内に埋め込まれていてもよい。
【０１５５】
次に図３Ａ及び３Ｂを共に参照して、本開示により構成された喉頭鏡３０００のさらに別の例を開示する。喉頭鏡には以下が含まれる：最上部、最下部、近位面３６００、及び遠位面３５００を有するハンドル３２００と、ハンドル３２００の最下部に取り付けられ、そこから遠位面３５００の方向と実質的に垂直な角度で外向きに突出するブレード３１００と、電気部品モジュール３４００を保持するように構成された、近位面３６００（ブレード３１００の突出方向と反対側のハンドルの面）上に配置された電子部品モジュールキャビティ３３１０と、電子部品モジュールキャビティ３３１０からブレード３１００の端部に向かって延びるように構成された、ハンドル３２００及びブレード３１００内のセンサチューブキャビティ３１３０と、ブレード３１００の端部付近にある少なくとも１つのセンサ（図示せず）と、センサチューブキャビティ３１１０内を延びて、たとえば電力、データ送信、無線または有線命令などのために少なくとも１つのセンサを電気部品モジュール３４００と接続するセンサチューブ。
【０１５６】
本開示の一実施形態では、電子部品モジュールドア３３００は、電子部品モジュールドア３３００の少なくとも１つの端部内にモールドされたバネ負荷リビングヒンジ（ｌｉｖｅ  ｈｉｎｇｅ）によって所定の位置に保持された取り外し可能なフェースプレート（図示せず）を含んでいてもよい。操作者がヒンジに加圧すると、ドア３３００が任意で取り外され、それによって相補的な電子部品モジュール３４００を保持するようにサイズ決め及び成形された電子部品モジュールキャビティ３３１０が露出されてもよい。キャビティ３３１０内に挿入されたとき、ハンドルから突出している電子部品モジュールの部分はドア３３００の形状に実質的に近い。
【０１５７】
喉頭鏡３０００はさらに、たとえば図１〜２に記載したように、入口（複数可）、出口（複数可）、バルブシステム、または他の構成部品を含んでいてもよい。喉頭鏡３０００はさらに、たとえば図１〜２に記載したように、流体及び関連データを収集し、送信し、及び／または分析する方法を行うように構成してもよい。
【０１５８】
次に図４を参照して、本開示の原理によるさらに別の喉頭鏡４０００を開示する。喉頭鏡４０００は、最上部及び最下部を有するハンドル４２００と、ハンドル４２００の最下部に接続され、ハンドル４２００からたとえば図１〜３に示したのと同様に実質的に垂直な角度で突出するようにさらに構成されたブレード４１００とを含む。
【０１５９】
喉頭鏡４０００はさらに、ハンドル４２００の最下部とブレード４１００とが交わる交差部で任意で結合されるようにサイズ決め及び成形された電子部品モジュール４４００を含んでいる。
【０１６０】
電子部品モジュール４４００は、電子部品モジュール４４００からブレード部分３１００内の相補的なキャビティ４１０５内へと遠位方向に延びるバッテリ電源４４２０を含んでいてもよい。
【０１６１】
電子部品モジュール４４００は、ブレード４１００内のキャビティ４１１０内に延びるセンサチューブ４４４０を含んでいてもよい。キャビティ４１１０は、センサチューブ４４２０の先端に配置されたセンサ４４３０の機能を可能にするようにデザインされたウィンドウ４１１５において終わってもよい。たとえば、センサ４４３０が音響センサ、画像センサ、ガスセンサ、または流体センサである場合、ウィンドウ４１１５は、そのセンサがブレード４１００のボディの外側を検出することを可能にする材料、たとえば、それぞれ、音響的に透明な膜、光学的に透明な膜、ガス透過性膜もしくはメッシュ、または流体透過性膜もしくはメッシュから選択される。
【０１６２】
次に図５Ａ及び５Ｂを同時に参照して、改善された喉頭鏡５０００のさらに別の例を開示する。喉頭鏡５０００は、たとえば図１〜４に示したのと同様の方法で共に結合されたハンドル部分５２００とブレード部分５１００とを含む。ハンドルは、図５Ａ及び５Ｂに示す２つの構成間で摺動することができるように動作可能に構成されたスライディングドア５２３０、ならびに電子接点５２２０及びメカニカルキャッチ５２１０によって占められるスライディングドア５２３０の背後のキャビティを含んでいてもよい。電子接点５２２０は、ブレード部分５１００の先端付近に配置された少なくとも１つのセンサ５１１０と電気的に連絡している。メカニカルキャッチ５２１０は、電子部品モジュール５３００における相補的な凹部５３１０上に一時的に嵌合するようにサイズ決め及び成形されたバネ負荷のキャッチメントであってもよい。電子部品モジュール５３００は、電子接点５３２０と共に一体化ボディハウジング及び電子機器パッケージを含んでいてもよい。
【０１６３】
操作者が電子部品モジュール５３００を図５Ａの矢印が示す方向にドア５２３０に対して付勢すると、ドア５２３０が移動して、キャッチ５２１０が凹部５３１０上に嵌合して接点５３２０と５２２０とが互いに連絡するまで、電子部品モジュール５３００をハンドル部分５２００内に挿入することができる。このような構成の例をたとえば図５Ｂに示す。電子部品モジュール５３００内の電子機器パッケージは、以下を行うより大きな全体システムの一部として働くように構成してもよい：（１）センサ５１１０から入力を受信し、（２）その入力を処理して解剖学的場所情報にし、（３）その入力から得られた場所情報をユーザ（または操作者、医師など）に伝達し、（４）データを記憶し、（５）データ及び場所情報の両方を、たとえばリモートデバイス、データベース、サーバ、アドミニストレイティブコンピュータなどに送信し、（６）情報から得られたデータに基づいて所定の動作を取ること。種々の機能（１）〜（６）を電子部品モジュール５０００内で選択的に行ってもよいし、または電子部品モジュール５０００から離れてたとえばコンピュータ上で選択的に行ってもよい。
【０１６４】
たとえば、センサ５１１０がカメラまたは他の撮像装置である場合、本開示のある実施形態の電子機器パッケージは、画像センサの出力を取り込んで調整するための適切なマイクロプロセッサ、ならびにその出力を通信ネットワークを介して物理接続またはワイヤレス接続でリモートワークステーション（またはコンピュータ、サーバ、データベースなど）に送信するための電子機器を含むであろう。このような構成では、ワークステーションは、扁桃または声帯などの解剖学的ランドマークを特定し、その情報をたとえば図９Ａ、９Ｂ、及び１０に示すようにディスプレイまたは他のユーザインターフェースを介して操作者に伝達するようにさらに構成される。
【０１６５】
この例の場合、ステップ（１）及び（５）を電子部品モジュールの内部で行ってもよく、一方、残りの電力及びプロセッサ集約的ステップ（２）、（３）、及び（４）をワークステーション（またはコンピュータ、サーバ、データベースなど）上で行ってもよい。
【０１６６】
本開示の一実施形態では、喉頭鏡はそのブレードの先端に容量性流体センサを含んでいてもよい。この例では、電子部品モジュールはそのボディ（ハンドルまたはブレード）上に、容量性流体センサが十分な流体を検出したときに照光するインジケータＬＥＤを含んでいてもよい。電子部品モジュールはまた、信号を喉頭鏡に付随する（または接続された）吸引ポンプに（通信ネットワークを介して）送信して、所定のまたはユーザが設定したセンサ出力閾値に基づいてポンプをアクティブ化または非アクティブ化させることができてもよい。この例では、前述したステップ（１）〜（６）はすべて、電子部品モジュール上で直接実行することができてもよい。
【０１６７】
図６に、改善された喉頭鏡６０００のさらに別の例を示す。喉頭鏡６０００はハンドル部分６２００とブレード部分６１００とを含んでおり、センサ６４１０がブレード６１００の遠位端付近にあり、制御モジュール６４００がハンドル６２００内に配置されている。喉頭鏡６０００はさらに、想定される位置的場所を表示するためにセンサ６４１０及び制御モジュール６４００と電子的に連絡している、ハンドル６２００内に配置されたＬＥＤ６３００を含んでいてもよい。たとえば、センサ６４１０がｐＨセンサである場合、制御モジュール６４００を、口腔及び気管について想定されるｐＨの閾値と、たとえば食道などの身体の他の領域内に存在すると想定されるより低い（またはより高い）ｐＨ値とを認識または検出するようにプログラムしてもよい。ｐＨ値が口腔／気管パラメータ内にある間、ＬＥＤ６３００はある特定の色（たとえば、緑色）を表示してもよい。ＬＥＤ６３００は次に、センサ６４１０が別の場所、たとえば食道を示す読み取り値を取得した場合に、別の色（たとえば、赤色）に切り換わってもよい。場所に関する同様の推論はカメラセンサから得ることもでき、該カメラセンサは、特定の幾何学的形状を特定するが、次にその情報を、挿管が成功裏に進んでいるかどうかについての操作者に伝達される単純化されたブール値として伝達する。
【０１６８】
図７に、本開示の原理により構成された改善された喉頭鏡７０００の例を示す。喉頭鏡７１００、電子部品モジュール７２００、及びボディ上に配置された音響スピーカ７３００を有する、喉頭鏡７０００が図示されている。本開示のある実施形態によれば、電子部品モジュール７２００内のアルゴリズム（またはプログラミング）は、スピーカ７３００の出力を制御して、有用な情報をデバイスの操作者（たとえば、医師、看護師など）に提供してもよい。これはセンサ７１１０からの直接的な情報、たとえば、スピーカが出力する音色を、たとえばセンサが特定したＣＯ２濃度、ｐＨ、酸素などに直接関連づけることなどであってもよい。出力はまた、たとえば、ガイダンス、たとえば「喉頭鏡のブレードを尾側に動かす」などをもたらす特徴特定型画像処理などの、他の形態の検知から得られる二次情報であってもよい。
【０１６９】
図８に示すのは、患者の治療部位に対して本開示の喉頭鏡の使用を提供する、本開示の原理により構成されたシステム８０００の例であり、これは、命令、たとえば、観察を開始／終了すること、吸引を開始／終了すること、治療を施すこと、収集データを別の場所に通信ネットワークを介して移すことなどを受信しそれらのワイヤレス送信を行う。システム８０００は、少なくとも１つの喉頭鏡８１００、ネットワーク８３００、モニタ（たとえば、システムマネージャ）コンピュータ（またはコンピューティングデバイス）８４００、ホスト型サーバ（またはコンピュータ）８５００、及びデータベース８６００を含み、これらはすべて通信リンク８２００を介して互いに結合していてもよい。たとえば、ホスト型サーバ８５００及びデータベース８６００を、互いに及び／またはネットワーク８３００に１つ以上の通信リンク８２００を介して接続してもよい。少なくとも１つの喉頭鏡８１００及びモニタコンピュータ８４００を、通信リンク８２００を介してネットワーク８３００に結合してもよい。たとえば、少なくとも１つの喉頭鏡８１００が用いられている患者の許可ユーザ（たとえば、医師、看護師など）が、少なくとも１つの喉頭鏡８１００を用いてもよい。少なくとも１つの喉頭鏡８１００が液体を収集したら、該液体を次に、微生物分析のために好気性及び／または嫌気性滅菌チューブに即座に移してもよい。
【０１７０】
本開示の一実施形態では、少なくとも１つの喉頭鏡８１００は、そのセンサ（たとえば、図１〜７に示す）を介して患者から収集したデータを、たとえば観察、記憶、分析などのために、モニタコンピュータ８４００、ホスト型サーバ８５００、またはデータベース８６００に送信してもよい。このようなデータ観察は、たとえば、モニタコンピュータ８４００、ホスト型サーバ８５００、またはデータベース８６００上のグラフィックユーザインターフェース上に表示されるように構成されてもよい。データは、少なくとも１つの喉頭鏡８１００のセンサからのたとえば身体部分として示されてもよく、これを次に分析して、たとえば図９Ａ、９Ｂ、１０Ａ、及び１０Ｂに示すようにシステム８０００内の記憶データまたは命令からの拡張現実のオーバーレイを含める（異なる身体部分を特定する）。
【０１７１】
少なくとも１つの喉頭鏡８１００からの収集データはまた、少なくとも１つの喉頭鏡８１００が設置される患者の身体におけるｐＨ、ＣＯ２、音響、静電容量、インダクタンス、温度、特定分子、両眼画像、単眼画像、配列された画像、または環境色を含んでいてもよい。収集データは、患者の身体内のある特定の因子、たとえばｐＨの変化、酸素、血液などを検出するために、さらに集約して分析してもよい。集約して分析したデータは、ある特定の身体的異常を検出するためのベースラインとして機能してもよいし、またはある特定の身体的疾患を予測するために用いてもよい。さらに、このようなデータを、モニタコンピュータ８４００（またはホスト型サーバ８５００、データベース８６００、または少なくとも１つの喉頭鏡８１００）に記憶された機械学習アルゴリズムとともに用いて、ある特定の身体的特徴（たとえば、臼歯、扁桃、喉頭など）を特定してもよく、これは、たとえば図９Ａ、９Ｂ、１０Ａ、及び１０Ｂに示すように少なくとも１つの喉頭鏡を正確な場所に導くのに有用であり得る。このようにデータを用いる例を図１１及び１２にも示す。
【０１７２】
さらに、少なくとも１つの喉頭鏡８１００、モニタコンピュータ８４００、ホスト型サーバ８５００、及びデータベース８６００はそれぞれ、本明細書で開示したプロセスを行うために実行されてもよいコンピュータプログラムなどのコンピュータ可読媒体を含んでいてもよい。コンピュータ可読媒体は、本明細書で開示した各ステップを行なうためのコードセクションまたはコードセグメントを含んでいてもよい。これらのステップのいくつかの例を図８及び１１〜１２に示す。
【０１７３】
図９Ａに、本開示の原理により構成された拡張現実オーバーレイ９１００の例を示す。図示したように、スクリーン上の図の大部分は本開示の喉頭鏡内の画像センサから直接取ってもよい。このような画像は、臼歯、扁桃、及び口蓋垂などの解剖学的ランドマークを表示してもよい。本開示の一実施形態によれば、挿管のための正確な進路を示すオーバーレイ９０００が提供される。視野内の他の要素に対するオーバーレイ９０００の場所及び方向は、画像処理技術を用いて、本明細書で列記したものなどの既知の解剖学的ランドマークを特定することによって計算してもよい。
【０１７４】
図９Ｂに、食道と気管との接合部が「矢印」オーバーレイを用いてアルゴリズムによって視覚化され強調されている９２００、典型的な図を示す。本開示のある実施形態によれば、このような特定は、奥行きが周辺組織のそれよりも長い２つの導管を特定するためにエコロケーション（ｅｃｏ−ｌｏｃａｔｉｏｎ）型検知または他の反射エネルギー型検知を用いることによって行ってもよい。
【０１７５】
たとえば図９Ａ及び９Ｂに示すのと同様のメカニズムで、開示したシステムのアルゴリズム（または計算、事前記憶データなど）によって加えられる拡張現実オーバーレイの例を図１０に示す。図示したように、拡張現実オーバーレイを、リモートデバイス、たとえば、パーソナルコンピュータ、タブレット、スマートフォンデバイスなどの上に示すことができる。拡張現実オーバーレイは、開示した喉頭鏡を、矢印（複数可）オーバーレイ１０２０によって好ましい方向に向けてもよく、また記号１０３０によってある特定の方向を阻止してもよい。喉頭鏡の好ましい方向または阻止される方向のこのようなインジケータは、本明細書で以前に開示したように光または音響音によって示されてもよい。
【０１７６】
図１１に、患者内での本開示の喉頭鏡の使用を提供する、本開示の原理により構成されたフローチャート１１０００の例を示す。電気ワイヤ（または通信ネットワーク）１１１２０を介してＣＰＵ１１１３０及び無線機１１１４０に電気的に接続されたカメラ（または任意の他のセンサ）１１１１０を含む喉頭鏡１１１００は、ユーザ（たとえば、医師、看護師など）１１０９０によって患者上にあってもよい。カメラ１１１１０が、カメラ１１１１０を用いて生体内のデータ（たとえば、画像）を収集したら、次に収集データは、無線機１１１４０を介してリモートデバイス（またはサーバ、データベースなど）１１２００に通信ネットワークを介して送られてもよい。収集データがリモートデバイス１１２００によって受信されたら、収集データは次に、他の許可ユーザ１１０１０によって観察されてもよいし、またはクラウドサーバ１１３００（またはデータベース）内にアップロードされてもよく、そこからデータが許可ユーザのハードドライブ１１３１０上にダウンロードされてもよいしまたは電子健康記録１１３２０に送られてもよい。
【０１７７】
図１２に、本明細書で開示したようなシステムを構成するためのフローチャートの別の例を示す。上部の（オフライン学習）プロセスでは、成功した挿管の記録されたビデオセッションが一通り再生され、経験豊富な操作者が関連性のある解剖学的特徴を手動で強調表示させる一方で、たとえば喉頭鏡、サーバ、リモートデバイス、データベースなどにおける機械学習アルゴリズムが解剖学的特徴を観察してそれらを互いに区別することを試みる。最終的には、機械学習アルゴリズムはそこで、実際の挿管中の喉頭鏡上のカメラからの供給物において関連性のある解剖学的特徴を特定できてもよく、これらの特徴の存在及び場所の知見を、たとえば図９Ａ、９Ｂ、１０、及び１１に示すような種々の形態のユーザフィードバックを介する操作者のためのガイダンスとして用いてもよい。
【０１７８】
本開示の別の実施形態では、開示した喉頭鏡、方法、及びシステムを、気管内チューブ、喉頭マスク気道デバイス、声門上気道デバイス、コンビチューブ、及び他の体腔内で用いてもよい。
【０１７９】
当然のことながら、本明細書で開示した本出願の実施形態は本出願の実施形態の原理を例示している。使用できる他の変更を本出願の範囲内とすることができる。したがって、一例として、しかし限定としてではなく、本出願の実施形態の代替的な構成を本明細書の教示により用いることができる。したがって、本出願の実施形態は、まさに図示及び記載したものに限定されることはない。説明した実施形態は、本発明の原理及びその実際の応用例を説明するとともに、当業者が、本発明を種々の実施形態で、また考えられる特定の使用に適した種々の変更を伴って使用できるようにするのに役立つ。したがって、本発明は、本発明を行うために開示した特定の実施形態には限定されないことが意図されている。
【０１８０】
本発明の種々の実施形態について本明細書で説明している。これらの説明では前述の実施形態を直接説明しているが、当然のことながら、当業者であれば、本明細書で図示し説明した特定の実施形態に対する変更及び／または変形を考え得る。この説明の範囲に含まれる任意のこのような変更または変形も、そこに含まれることが意図されている。特に示さない限り、明細書及び特許請求の範囲における用語及び語句に、適用可能な技術（複数可）における当業者にとって普通の習慣的な意味を与えることを、発明者は意図している。
【０１８１】
本発明の特定の実施形態について図示し説明してきたが、当業者には明らかなように、本明細書における教示に基づいて、本発明及びそのより広い態様から逸脱することなく変形及び変更を行ってもよく、したがって、添付の特許請求の範囲には、それらの範囲内に、本発明の真の趣旨及び範囲内にあるすべての変形及び変更が包含される。
【図１Ａ】
2019508143.tif 000004
【図１Ｂ】
2019508143.tif 000005
【図２Ａ】
2019508143.tif 000006
【図２Ｂ】
2019508143.tif 000007
【図２Ｃ】
2019508143.tif 000008
【図２Ｄ】
2019508143.tif 000009
【図３Ａ】
2019508143.tif 000010
【図３Ｂ】
2019508143.tif 000011
【図４】
2019508143.tif 000012
【図５Ａ】
2019508143.tif 000013
【図５Ｂ】
2019508143.tif 000014
【図６】
2019508143.tif 000015
【図７】
2019508143.tif 000016
【図８】
2019508143.tif 000017
【図９Ａ】
2019508143.tif 000018
【図９Ｂ】
2019508143.tif 000019
【図１０】
2019508143.tif 000020
【図１１】
2019508143.tif 000021
【図１２】
2019508143.tif 000022
【国際調査報告】
2019508143.tif 000023